(57)【要約】【課題】操作性を向上できる携帯電子機器を提供する。【解決手段】表示部は、第１端部および第２端部を含む表示領域を有し、表示領域に表示画面を表示する。入力部は、表示領域に対する操作を検出する検出部を含む。ＧＵＩ制御部は、前記表示領域において第１端部および第２端部の一方にモード変更要素を配置するとともに、前記モード変更要素に対する第１操作を検出したときに、前記表示画面を縮小し、縮小後の前記表示画面を縮小画面として前記表示領域の一部に表示する。ＧＵＩ設定部は、前記モード変更要素を前記第１端部および前記第２端部のどちらに配置するのかを、前記入力部へのユーザの入力に応じて設定する。【選択図】図１５
2017084086.tif 000002
【特許請求の範囲】
【請求項１】
携帯電子機器であって、
第１端部および第２端部を含む表示領域を有し、前記表示領域に表示画面を表示する表示部と、
前記表示領域に対する操作を検出する検出部を含む入力部と、
前記表示領域において前記第１端部および前記第２端部の一方にモード変更要素を配置するとともに、前記モード変更要素に対する第１操作を検出したときに、前記表示画面を縮小し、縮小後の前記表示画面を縮小画面として前記表示領域の一部に表示するＧＵＩ制御部と、
前記モード変更要素を前記第１端部および前記第２端部のどちらに配置するのかを、前記入力部へのユーザの入力に応じて設定するＧＵＩ設定部と
を備える、携帯電子機器。
【請求項２】
請求項１に記載の携帯電子機器であって、
前記表示領域は、所定の基準線よりも前記第１端部に近い第１領域と、前記基準線よりも前記第２端部に近い第２領域とを有しており、
前記ＧＵＩ設定部は、第２操作が前記第１領域において行われたときに、前記モード変更要素を前記第１端部に表示するように設定し、前記第２操作が前記第２領域において行われたときに、前記モード変更要素を前記第２端部に表示するように設定する、携帯電子機器。
【請求項３】
請求項２に記載の携帯電子機器であって、
前記ＧＵＩ設定部は、前記第２操作が前記第１領域において行われたときに、前記縮小画面を前記第１端部側に表示するように設定し、前記第２操作が前記第２領域において行われたときに、前記縮小画面を前記第２端部側に表示するように設定する、携帯電子機器。
【請求項４】
請求項２または請求項３に記載の携帯電子機器であって、
前記第２操作は前記モード変更要素へのドラッグ操作の終了である、携帯電子機器。
【請求項５】
請求項４に記載の携帯電子機器であって、
前記ＧＵＩ設定部は、前記モード変更要素への前記ドラッグ操作を終了した位置が前記基準線に近いほど大きいサイズに、前記縮小画面のサイズを設定する、携帯電子機器。
【請求項６】
請求項１から請求項５の何れか一つに記載の携帯電子機器であって、
前記ＧＵＩ設定部は、前記入力部への入力に応じて、前記モード変更要素の、前記第１端部または前記第２端部に沿う第１方向における位置を設定する、携帯電子機器。
【請求項７】
請求項６に記載の携帯電子機器であって、
前記ＧＵＩ設定部は、前記モード変更要素の前記第１方向における位置に応じて、前記縮小画面の前記第１方向における位置を設定する、携帯電子機器。
【請求項８】
請求項１から請求項７の何れか一つに記載の携帯電子機器であって、
前記検出部は、前記縮小画面の輪郭を形成する辺に対するドラッグ操作を検出し、
前記ＧＵＩ設定部は、前記辺に対するドラッグ操作の終了位置に基づいて、前記縮小画面の、前記第１端部または前記第２端部に沿う第１方向における位置を設定する、携帯電子機器。
【請求項９】
請求項１から請求項８の何れか一つに記載の携帯電子機器であって、
前記検出部は、前記縮小画面の輪郭の角部に対するドラッグ操作を検出し、
前記ＧＵＩ設定部は、前記角部に対するドラッグ操作の終了位置に基づいて、前記縮小画面のサイズを設定する、携帯電子機器。
【請求項１０】
請求項１から請求項９の何れか一つに記載の携帯電子機器であって、
前記ＧＵＩ設定部は、前記縮小画面を前記第１端部側に表示するのか、前記第２端部側に表示するのかを設定する第１設定要素、前記縮小画面の、前記第１端部または前記第２端部に沿う第１方向における位置を設定する第２設定要素、前記縮小画面のサイズを設定する第３設定要素の少なくともいずれか一つを前記表示領域に表示する、携帯電子機器。
【請求項１１】
請求項１から請求項１０の何れか一つに記載の携帯電子機器であって、
前記ＧＵＩ設定部は、前記第１端部側の複数位置および前記第２端部側の複数位置を前記表示領域に表示し、前記入力部を介してユーザによって選択された前記複数位置の一つに、前記モード変更要素の位置を設定する、携帯電子機器。
【請求項１２】
請求項１から請求項１１の何れか一つに記載の携帯電子機器であって、
前記検出部が前記モード変更要素に対する前記第１操作とは異なる第３操作を検出したときに、前記ＧＵＩ設定部は、前記モード変更要素を前記第１端部および前記第２端部のどちらに配置するのかの入力を受け付ける、携帯電子機器。
【請求項１３】
請求項１から請求項１２の何れか一つに記載の携帯電子機器であって、
前記ＧＵＩ制御部は前記モード変更要素を非表示とする、携帯電子機器。
【請求項１４】
請求項１から請求項１３の何れか一つに記載の携帯電子機器であって、
前記携帯電子機器の把持姿勢を検出する把持姿勢検出部を備え、
前記表示領域は長手方向に長い長尺状の形状を有しており、
前記第１端部および前記第２端部は前記長手方向に沿って延在し、
前記ＧＵＩ制御部は、前記縮小画面を表示している状態で、前記把持姿勢として前記長手方向が縦方向よりも横方向に近いときに、前記縮小画面を拡大して、拡大後の前記縮小画面を前記表示画面として前記表示領域に表示する、携帯電子機器。
【請求項１５】
請求項１４に記載の携帯電子機器であって、
前記ＧＵＩ制御部は、前記把持姿勢として前記長手方向が縦方向よりも横方向に近い状態で、前記モード変更要素への前記第１操作が行われたときに、前記表示画面を縮小しない、携帯電子機器。
【請求項１６】
請求項１から請求項１５の何れか一つに記載の携帯電子機器であって、
通話用の着信信号を受信する無線通信部を備え、
前記ＧＵＩ制御部は、前記着信信号を受信したときに、縮小前の前記表示画面を前記表示領域に表示する、携帯電子機器。
【請求項１７】
請求項１から請求項１６の何れか一つに記載の携帯電子機器であって、
前記第２端部よりも前記第１端部に近く、かつ、前記第１端部の一部と対向する位置に設けられた電源キーと、
前記電源キーの押下に応じて、前記表示部の表示を終了するスタンバイモードの採用／終了を切り替える制御部と、
前記ＧＵＩ制御部は、前記電源キーの押下に応じて前記スタンバイモードを解除するときに、前記第１端部の前記一部に前記モード変更要素を配置する、携帯電子機器。
【請求項１８】
第１端部および第２端部を含む表示領域を有し、前記表示領域に表示画面を表示する表示部と、
前記表示領域に対する操作を検出する検出部を含む入力部を
備える携帯電子機器の表示方法であって、
前記表示領域において前記第１端部および前記第２端部の一方にモード変更要素を配置するとともに、前記モード変更要素に対する第１操作を検出したときに、前記表示画面を縮小し、縮小後の前記表示画面を縮小画面として前記表示領域の一部に表示する工程と、
前記モード変更要素を前記第１端部および前記第２端部のどちらに配置するのかを、前記入力部へのユーザの入力に応じて設定する工程と
を備える、携帯電子機器の表示方法。
【発明の詳細な説明】
【技術分野】
【０００１】
本発明は、携帯電子機器および携帯電子機器の表示方法に関する。
【背景技術】
【０００２】
表示部とタッチパネルとを備えた携帯電子機器が提案されている。この携帯電子機器では、ユーザは例えば指を用いて表示部に対して操作を行い、この操作がタッチパネルで検出される。携帯電子機器は当該操作に応じた処理を実行する。
【先行技術文献】
【特許文献】
【０００３】
【特許文献１】特開２００９−２８３０１３号公報
【発明の概要】
【発明が解決しようとする課題】
【０００４】
操作性の向上が望まれている。
【０００５】
そこで本発明は、操作性を向上できる携帯電子機器の提供を目的とする。
【課題を解決するための手段】
【０００６】
携帯電子機器および携帯電子機器の表示方法が開示される。一実施の形態においては、携帯電子機器は、表示部と、入力部と、ＧＵＩ制御部と、ＧＵＩ設定部とを備える。表示部は、第１端部および第２端部を含む表示領域を有し、表示領域に表示画面を表示する。入力部は、表示領域に対する操作を検出する検出部を含む。ＧＵＩ制御部は、表示領域において第１端部および第２端部の一方にモード変更要素を配置するとともに、モード変更要素に対する第１操作を検出したときに、表示画面を縮小し、縮小後の表示画面を縮小画面として表示領域の一部に表示する。ＧＵＩ設定部は、モード変更要素を第１端部および第２端部のどちらに配置するのかを、入力部へのユーザの入力に応じて設定する。
【０００７】
携帯電子機器の表示方法は、表示領域において第１端部および第２端部の一方にモード変更要素を配置するとともに、モード変更要素に対する第１操作を検出したときに、表示画面を縮小し、縮小後の表示画面を縮小画面として表示領域の一部に表示する工程と、モード変更要素を第１端部および前記第２端部のどちらに配置するのかを、入力部へのユーザの入力に応じて設定する工程とを備える。
【発明の効果】
【０００８】
本携帯電子機器およびその表示方法によれば、操作性を向上できる。
【図面の簡単な説明】
【０００９】
【図１】携帯電子機器の概観の一例を示す前面図である。
【図２】携帯電子機器の概観の一例を示す裏面図である。
【図３】携帯電子機器の電気的な構成の一例を概略的に示す図である。
【図４】携帯電子機器を左手で把持する様子の一例を概略的に示す図である。
【図５】携帯電子機器を右手で把持する様子の一例を概略的に示す図である。
【図６】制御部の構成の一例を概略的に示す図である。
【図７】表示領域の一例を概略的に示す図である。
【図８】表示領域の一例を概略的に示す図である。
【図９】表示領域の一例を概略的に示す図である。
【図１０】ＧＵＩ制御部の具体的な動作の一例を示すフローチャートである。
【図１１】表示領域の一例を概略的に示す図である。
【図１２】モード変更要素の位置を設定する様子の一例を概略的に示す図である。
【図１３】モード変更要素の位置を設定する様子の一例を概略的に示す図である。
【図１４】モード変更要素の位置を設定する様子の一例を概略的に示す図である。
【図１５】ＧＵＩ設定部の具体的な動作の一例を示すフローチャートである。
【図１６】ＧＵＩ設定部の具体的な動作の一例を示すフローチャートである。
【図１７】ＧＵＩ設定部の具体的な動作の一例を示すフローチャートである。
【図１８】モード変更要素の位置を設定する様子の一例を概略的に示す図である。
【図１９】モード変更要素の位置を設定する様子の一例を概略的に示す図である。
【図２０】モード変更要素の位置を設定する様子の一例を概略的に示す図である。
【図２１】ＧＵＩ設定部の具体的な動作の一例を示すフローチャートである。
【図２２】モード変更要素の位置を設定する様子の一例を概略的に示す図である。
【図２３】モード変更要素の位置を設定する様子の一例を概略的に示す図である。
【図２４】ＧＵＩ設定部の具体的な動作の一例を示すフローチャートである。
【図２５】モード変更要素および縮小画面の位置を設定する様子の一例を概略的に示す図である。
【図２６】ＧＵＩ設定部の具体的な動作の一例を示すフローチャートである。
【図２７】モード変更要素および縮小画面の位置を設定する様子の一例を概略的に示す図である。
【図２８】ＧＵＩ設定部の具体的な動作の一例を示すフローチャートである。
【図２９】モード変更要素および縮小画面の位置を設定する様子の一例を概略的に示す図である。
【図３０】モード変更要素の位置、縮小画面の位置およびサイズを設定する様子の一例を概略的に示す図である。
【図３１】ＧＵＩ設定部の具体的な動作の一例を示すフローチャートである。
【図３２】縮小画面のサイズを設定する様子の一例を概略的に示す図である。
【図３３】縮小画面のサイズを設定する様子の一例を概略的に示す図である。
【図３４】ＧＵＩ設定部の具体的な動作の一例を示すフローチャートである。
【図３５】縮小画面の位置を設定する様子の一例を概略的に示す図である。
【図３６】ＧＵＩ設定部の具体的な動作の一例を示すフローチャートである。
【図３７】ノーティフィケーション画面を表示する様子の一例を概略的に示す図である。
【図３８】モード変更要素の位置を変更する様子の一例を概略的に示す図である。
【図３９】ＧＵＩ設定部の具体的な動作の一例を示すフローチャートである。
【図４０】縮小画面のサイズを設定する様子の一例を概略的に示す図である。
【図４１】ＧＵＩ設定部の具体的な動作の一例を示すフローチャートである。
【図４２】縮小画面のサイズを設定する様子の一例を概略的に示す図である。
【図４３】縮小画面の位置を設定する様子の一例を概略的に示す図である。
【図４４】ＧＵＩ設定部の具体的な動作の一例を示すフローチャートである。
【図４５】通常モードを採用する様子の一例を概略的に示す図である。
【図４６】縮小モードを採用する様子の一例を概略的に示す図である。
【図４７】ＧＵＩ設定部の具体的な動作の一例を示すフローチャートである。
【図４８】縮小モードを採用する様子の一例を概略的に示す図である。
【図４９】縮小モードを採用する様子の一例を概略的に示す図である。
【図５０】縮小モードを採用する様子の一例を概略的に示す図である。
【図５１】ＧＵＩ制御部の具体的な動作の一例を示すフローチャートである。
【図５２】縮小モードを採用する様子の一例を概略的に示す図である。
【図５３】ＧＵＩ制御部の具体的な動作の一例を示すフローチャートである。
【図５４】縮小モードを採用する様子の一例を概略的に示す図である。
【図５５】縮小モードを採用する様子の一例を概略的に示す図である。
【図５６】ＧＵＩ制御部の具体的な動作の一例を示すフローチャートである。
【図５７】ＧＵＩ制御部の具体的な動作の一例を示すフローチャートである。
【図５８】携帯電子機器の電気的な構成の一例を概略的に示す図である。
【図５９】縦姿勢で携帯電子機器を把持する様子の一例を概略的に示す図である。
【図６０】横姿勢で携帯電子機器を把持する様子の一例を概略的に示す図である。
【図６１】ＧＵＩ制御部の具体的な動作の一例を示すフローチャートである。
【図６２】着信画面の一例を概略的に示すフローチャートである。
【図６３】ＧＵＩ制御部の具体的な動作の一例を示すフローチャートである。
【図６４】縮小モードにおける表示領域の一例を概略的に示す図である。
【図６５】ノーティフィケーション画面を表示する様子の一例を概略的に示す図である。
【図６６】縮小モードにおける表示領域の一例を概略的に示す図である。
【図６７】縮小モードを採用する様子の一例を概略的に示す図である。
【図６８】背景領域を操作したときの様子の一例を概略的に示す図である。
【図６９】背景領域を操作したときの様子の一例を概略的に示す図である。
【図７０】背景領域と縮小画面とを入れ替える様子の一例を概略的に示す図である。
【図７１】二画面モードを採用する様子の一例を概略的に示す図である。
【図７２】縮小モードにおける表示領域の一例を概略的に示す図である。
【発明を実施するための形態】
【００１０】
第１の実施の形態．
＜携帯電子機器＞
＜外観＞
図１は、携帯電子機器１の前面側から見た概観の一例を示している。図２は携帯電子機器１の概観の一例を示す裏面図である。携帯電子機器１は、例えば、タブレット、ＰＤＡ(Personal Digital Assistant)、携帯電話機（スマートフォンを含む）、または、携帯型のパーソナルコンピュータなどである。
【００１１】
図１および図２の例示では、携帯電子機器１は、カバーパネル２とケース部分３を備えており、カバーパネル２とケース部分３とが組み合わされることによって、平面視で略長方形の板状を成す筐体（以下、機器ケースとも呼ぶ）４が構成されている。
【００１２】
カバーパネル２は、平面視において略長方形を成しており、携帯電子機器１の前面部分における、周縁部分以外の部分を構成している。カバーパネル２は、例えば、透明のガラスあるいは透明のアクリル樹脂で形成されている。あるいは、カバーパネル２は、例えばサファイアで形成されている。ここで、サファイアとは、アルミナ（Ａｌ２Ｏ３）を主成分とする単結晶のことをいい、本明細書では、Ａｌ２Ｏ３純度が約９０％以上の単結晶のことをいう。傷がよりつき難くなるという点で、Ａｌ２Ｏ３純度は９９％以上であることが好ましい。
【００１３】
カバーパネル２は、サファイアから成る層を含む複数層構造の複合パネル（積層パネル）であっても良い。例えば、カバーパネル２は、携帯電子機器１の表面に設けられたサファイアから成る層（サファイアパネル）と、当該層に貼り付けられたガラスから成る層（ガラスパネル）とで構成された２層構造の複合パネルであっても良い。また、カバーパネル２は、携帯電子機器１の表面に設けられたサファイアから成る層（サファイアパネル）と、当該層に貼り付けられたガラスから成る層（ガラスパネル）と、当該層に貼り付けられたサファイアから成る層（サファイアパネル）とで構成された３層構造の複合パネルであっても良い。また、カバーパネル２は、サファイア以外の結晶性材料、例えば、ダイヤモンド、ジルコニア、チタニア、水晶、タンタル酸リチウム、酸化窒化アルミニウムなどから成る層を含んでいても良い。
【００１４】
ケース部分３は、携帯電子機器１の前面部分の周縁部分、側面部分及び裏面部分を構成している。ケース部分３は、例えばポリカーボネート樹脂で形成されている。
【００１５】
カバーパネル２の前面には、文字、記号、図形または画像等の各種情報が表示される表示領域２ａが設けられている。この表示領域２ａは例えば平面視で長方形を成している。カバーパネル２における、表示領域２ａを取り囲む周縁部分は、例えばフィルム等が貼られることによって黒色となっており、情報が表示されない非表示部分となっている。カバーパネル２の裏面には後述するタッチパネル５２が貼り付けられており、ユーザは、携帯電子機器１の前面の表示領域２ａを指等で操作することによって、携帯電子機器１に対して各種指示を与えることができる。なお、ユーザは、指以外の操作子、例えば、スタイラスペンなどの静電式タッチ検出部用ペンで表示領域２ａを操作することによっても、携帯電子機器１に対して各種指示を与えることができる。
【００１６】
機器ケース４内には、例えば操作キー５が設けられている。操作キー５は、例えばハードウェアキーであって、例えばカバーパネル２の前面の下側端部に設けられている。図１および図２の例示では、操作キー５の一種として、電源キー５Ａも設けられている。電源キー５Ａは例えば携帯電子機器１の側面に設けられている。
【００１７】
タッチパネル５２および操作キー５（電源キー５Ａを含む、以下、同様）は、携帯電子機器１への入力を行う入力部の一例である。後述する各種の入力はタッチパネル５２を用いて行われてもよく、操作キー５を用いて行われてもよい。
【００１８】
＜電気的構成＞
図３は携帯電子機器１の電気的構成の一例を示すブロック図である。図３に例示される携帯電子機器１は、例えば、制御部１０、無線通信部２０、表示部４１、第１音声出力部（ここではレシーバ）４２、第２音声出力部（ここではスピーカ）４４、音声入力部４６、タッチパネル５２、キー操作部５４、および、撮像部６０を備えている。携帯電子機器１に設けられたこれらの構成要素は、機器ケース４に収められている。
【００１９】
制御部１０は、例えばＣＰＵ（Central Processing Unit）１０１、ＤＳＰ（Digital Signal Processor）１０２及び記憶部１０３等を備えており、携帯電子機器１の他の構成要素を制御することによって、携帯電子機器１の動作を統括的に管理する。記憶部１０３は、ＲＯＭ（Read Only Memory）及びＲＡＭ（Random Access Memory）等で構成されている。記憶部１０３には、携帯電子機器１の動作、具体的には携帯電子機器１が備える無線通信部２０、表示部４１等の各構成要素を制御するための制御プログラムであるメインプログラム及び複数のアプリケーションプログラム（以後、単に「アプリケーション」とも呼ぶ）等が記憶されている。制御部１０の各種機能は、ＣＰＵ１０１及びＤＳＰ１０２が記憶部１０３内の各種プログラムを実行することによって実現される。なお図３の例示では、ＣＰＵ１０１およびＤＳＰ１０２がそれぞれ一つ示されているものの、これらは複数設けられてもよい。そして、これらが互いに協働して各種機能を実現してもよい。また、図３の例示では、記憶部１０３は、制御部１０の内部において示されているものの、制御部１０の外部に設けられてもよい。換言すれば、記憶部１０３は制御部１０とは別体であってもよい。また、制御部１０の機能の一部または全部はハードウェアによって実現されても構わない。
【００２０】
無線通信部２０は、アンテナ２１を有している。無線通信部２０は他の携帯電子機器、あるいはインターネットに接続されたウェブサーバ等の通信装置からの信号を、基地局等を介してアンテナ２１で受信する。無線通信部２０は、受信信号に対して増幅処理及びダウンコンバートを行って制御部１０に出力する。制御部１０は、入力される受信信号に対して復調処理等を行う。また無線通信部２０は、制御部１０で生成された送信信号に対してアップコンバート及び増幅処理を行って、処理後の送信信号をアンテナ２１から無線送信する。アンテナ２１からの送信信号は、基地局等を通じて、他の携帯電子機器あるいはインターネットに接続された通信装置で受信される。
【００２１】
表示部４１は、例えば、液晶表示パネルあるいは有機ＥＬパネルなどである。表示部４１は、例えば表示画面を示す表示信号を制御部１０から受け取って、これを表示部４１に表示する。言い換えれば、表示部４１は、制御部１０によって制御されることによって、文字、記号、図形または画像などの各種情報を表示する。表示部４１に表示される情報は、カバーパネル２の前面の表示領域２ａに表示される。したがって、表示部４１は、表示領域２ａに表示を行っていると言える。表示領域２ａは長手方向Ｄ１に長い長尺状の形状を有している。
【００２２】
タッチパネル５２は、カバーパネル２の表示領域２ａに対する操作指等の操作子による操作を検出する検出部である。タッチパネル５２は、例えば、投影型静電容量方式のタッチ検出部であって、カバーパネル２の裏面に貼り付けられている。ユーザが操作指等の操作子によってカバーパネル２の表示領域２ａに対して操作を行うと、それに応じた信号がタッチパネル５２から制御部１０に入力される。制御部１０は、タッチパネル５２からの信号に基づいて、表示領域２ａに対して行われた操作の内容を特定して、その内容に応じた処理を行う。なお、タッチパネル５２は感圧式のタッチパネルであってもよい。
【００２３】
なおタッチパネル５２は、表示部４１に表示された表示領域２ａに対するユーザの操作を検出するので、タッチパネル５２および表示部４１は互いに協働して入力部を形成する、とも説明できるなおタッチパネル５２および表示部４１は一体で形成されても構わない。例えば、タッチパネル５２および表示部４１の一組は、表示パネルの各表示素子にタッチセンサを組み込んで、構成される。このような構成としては、例えばインセル型またはオンセル型のディスプレイが挙げられる。なお、タッチパネル５２および表示部４１が一体か別体かによらず、これらの一組を、タッチセンサ付き表示部と呼ぶことができる。
【００２４】
キー操作部５４は、各操作キー５に対するユーザの押下操作を検出する。キー操作部５４は、各操作キー５について、当該操作キー５が押下されているか否かを検出する。キー操作部５４は、操作キー５が押下されていない場合には、当該操作キー５が操作されていないことを示す未操作信号を制御部１０に出力する。また、キー操作部５４は、操作キー５が押下されると、当該操作キー５が操作されたことを示す操作信号を制御部１０に出力する。これにより、制御部１０は、各操作キー５について、当該操作キー５が操作されているか否かを判断することができる。
【００２５】
タッチパネル５２および操作キー５は、携帯電子機器１への入力部５０として機能する。なお以下で述べる、タッチパネル５２を用いた入力は、いずれも操作キー５に割り当てることが可能である。
【００２６】
第１音声出力部（例えばレシーバ）４２は、受話音などを出力するものであって、例えばダイナミックスピーカで構成されている。レシーバ４２は、制御部１０からの電気的な音信号を音に変換して出力する。レシーバ４２から出力される音は、携帯電子機器１の前面に設けられたレシーバ穴８０ａから外部に出力される。レシーバ穴８０ａから出力される音の音量は、第２音声出力部４４からスピーカ穴３４ａを介して出力される音の音量よりも小さくなっている。
【００２７】
なおレシーバ４２に替えて、圧電振動素子が設けられてもよい。圧電振動素子は、制御部１０によって制御され、音信号に基づいて振動する。圧電振動素子は例えばカバーパネル２の裏面に設けられており、音信号に基づく自身の振動によってカバーパネル２を振動させる。これにより、カバーパネル２の振動が音声としてユーザの耳に伝達される。この場合、レシーバ穴８０ａは不要である。
【００２８】
第２音声出力部（例えばスピーカ）４４は、例えばダイナミックスピーカであって、制御部１０からの電気的な音信号を音に変換して出力する。第２音声出力部４４から出力される音は、携帯電子機器１の裏面に設けられたスピーカ穴３４ａから外部に出力される。スピーカ穴３４ａから出力される音が、携帯電子機器１から離れた場所でも聞こえるように、その音量が調整されている。すなわち、第２音声出力部（スピーカ）４４の音量は第１音声出力部（レシーバ４２あるいは圧電振動素子）の音量よりも大きい。
【００２９】
音声入力部４６は、例えばマイクであって、携帯電子機器１の外部から入力される音を電気的な音信号に変換して制御部１０に出力する。携帯電子機器１の外部からの音は、カバーパネル２の前面に設けられたマイク穴から携帯電子機器１の内部に取り込まれてマイク４６に入力される。
【００３０】
撮像部６０は例えば第１撮像部６２と第２撮像部６４とを有している。第１撮像部６２は撮像レンズ６ａおよび撮像素子などで構成されており、制御部１０による制御に基づいて、静止画像および動画像を撮像する。図１に示されるように、撮像レンズ６ａは、携帯電子機器１の前面に設けられていることから、携帯電子機器１の前面側（カバーパネル２側）に存在する物体を撮像することが可能である。
【００３１】
第２撮像部６４は、撮像レンズ７ａおよび撮像素子などで構成されており、制御部１０による制御に基づいて、静止画像および動画像を撮像する。図２に示されるように、撮像レンズ７ａは、携帯電子機器１の裏面に設けられていることから、携帯電子機器１の裏面側に存在する物体を撮像することが可能である。
【００３２】
＜ユーザの携帯電子機器の操作方法について＞
図４および図５は、ユーザが携帯電子機器１を操作する様子の一例を示す図である。図４では、ユーザは携帯電子機器１を左手８０で把持し、左手８０の親指８１を用いて表示領域２ａに対する操作を行う。図５では、ユーザが携帯電子機器１を右手９０で把持し、右手９０の親指９１を用いて表示領域２ａに対する操作を行う。図４および図５の例示では、ユーザは携帯電子機器１をその短手方向Ｄ２において挟んで把持している。
【００３３】
以下では、表示領域２ａの短手方向Ｄ２における端部を端部２Ａ，２Ｂと呼ぶ。例えば端部２Ａ，２Ｂは長手方向Ｄ１に沿って延在し、短手方向Ｄ２において互いに対面する。ここではユーザが左手８０で携帯電子機器１を把持したときに、親指８１側の端部が端部２Ａである。
【００３４】
ユーザが携帯電子機器１を片手で把持して操作する場合、表示領域２ａのサイズが広いほど、表示領域２ａの全領域を操作することは難しい。例えば図４では、左手８０の親指８１の付け根を中心とした仮想円弧Ａ１よりも親指８１に近い領域に対しては、親指８１が届きやすく操作が容易である一方で、この仮想円弧Ａ１よりも端部２Ｂ側の領域に対しては、親指８１が届きにくく操作が困難となる。同様に、図５の例示では、右手９０の親指９１の付け根を中心とした仮想円弧Ａ２よりも親指９１に近い領域に対しては、親指９１が届きやすく操作が容易である一方で、この仮想円弧Ａ２よりも端部２Ａ側の領域に対しては、親指９１が届きにくく操作が困難となる。
【００３５】
そこで、本実施の形態では、ユーザが携帯電子機器１を片手で操作しやすいように表示領域２ａに表示される表示画面を制御することを企図する。以下に詳述する。
【００３６】
＜制御部＞
図６は制御部１０の構成の一例を概略的に示す図である。制御部１０はＧＵＩ制御部１１とＧＵＩ設定部１２と処理部１３とを備えている。なお、これらの機能はソフトウェアで実装されてもよく、その機能の一部または全部はハードウェアで実装されてもよい。
【００３７】
処理部１３は携帯電子機器１の種々の機能を実行することができる。例えば処理部１３は、携帯電子機器１への誤操作を抑制ためのキーガード処理、または、不正な第三者による操作を抑制するためのロック処理を行ったり、あるいは、初期画面（以下、ホーム画面とも呼ぶ）を表示部４１に表示したりする。
【００３８】
図７は、キーガード処理を実行したときに表示領域２ａに表示される表示画面４０の一例を概略的に示す図である。この表示画面４０は、携帯電子機器１への誤操作を抑制するための画面であり、キーガード画面とも呼ばれる。このキーガード画面を解除しない限り、ユーザによる携帯電子機器１への入力は制限される。このガードキー画面はユーザによる適切な操作によって解除できる。
【００３９】
例えば図７の表示画面４０には、キーガード解除要素ＫＧ１が表示されている。このキーガード解除要素ＫＧ１に対して適切な操作を行うことで、処理部１３はガードキー画面を解除する。この操作としては、例えば、キーガード解除要素ＫＧ１に対して操作子を近接させて、この状態で所定方向（ここでは紙面右方向）に当該操作子を移動させる操作を採用できる。なお、ここでいう近接とは、操作子が表示領域２ａに近づいた状態を含み、また、操作子が表示領域２ａに接触した状態を含む。この操作はタッチパネル５２によって検出されて、処理部１３へと出力される。
【００４０】
キーガード解除要素ＫＧ１は、ユーザが上記操作を惹起できるような図記号によって構成されてもよい。例えばキーガード解除要素ＫＧ１は、矢印で操作方向をユーザに示してもよく、あるいは、文章で操作方法を表示してもよい。
【００４１】
キーガード解除要素ＫＧ１に対して適切な操作を行うと、処理部１３は当該操作に応答してキーガード処理を終了する。処理部１３は、このキーガード処理の終了に応答して、例えばロック処理を実行してもよい。図８は、ロック処理を実行したときの表示画面４０の一例を概略的に示す図である。この表示画面４０（ロック画面）に対して適切な操作が行われると、処理部１３はロック画面を解除する。例えば図８の表示画面４０には、解除パターン入力要素ＲＲ１が表示されている。この解除パターン入力要素ＲＲ１は複数のポイントｒｒ１によって構成されている。図８の例示では、９個のポイントｒｒ１が格子状に配置されている。この複数のポイントｒｒ１のうち予め決められたポイントに対して、例えば予め設定された順序で操作することによって、ロック画面を解除する操作を行うことができる。この操作はタッチパネル５２によって検出されて、処理部１３へと出力される。
【００４２】
解除パターン入力要素ＲＲ１に対して適切な操作が行われると、処理部１３は当該操作に応答してロック処理を終了する。処理部１３は、このロック処理の終了に応答して、例えばホーム画面とも呼ばれる表示画面４０を表示領域２ａに表示してもよい。図９は、この表示画面４０の一例を概略的に示す図である。この表示画面４０（ホーム画面）には、各種のアプリケーションの実行するための要素（例えばアイコン）Ｅ１が表示されている。各要素Ｅ１に対する操作はタッチパネル５２によって検出されて、処理部１３へと出力される。処理部１３は、操作された要素Ｅ１に対応したアプリケーションを記憶部１０３から読み出して実行する。これにより、種々の諸機能を実行することができる。
【００４３】
ＧＵＩ制御部１１はモード変更要素ＭＥ１を表示領域２ａの端部２Ａ，２Ｂの一方に配置して、これを表示することができる。このモード変更要素ＭＥ１の表示は処理部１３による処理と並行して行うことができる。例えば図７から図９に示すように、いずれの表示領域２ａにおいても、モード変更要素ＭＥ１を表示することができる。
【００４４】
図７から図９の例示では、モード変更要素ＭＥ１は端部２Ｂに表示されている。端部２Ｂは右手９０の親指９１が届きやすいので、ユーザは親指９１によってモード変更要素ＭＥ１を操作しやすい（図５も参照）。しかも、モード変更要素ＭＥ１が表示領域２ａの中央に表示される場合に比して、他の表示（例えばキーガード解除要素ＫＧ１、解除パターン入力要素ＲＲ１または要素Ｅ１など）を邪魔しにくい。
【００４５】
このモード変更要素ＭＥ１に対して第１操作が行われると、この第１操作がタッチパネル５２によって検出されて、ＧＵＩ制御部１１へと出力される。この第１操作としては、操作子を表示領域２ａへと近接させた後に、表示領域２ａから遠ざける操作（いわゆるタップ操作）を採用できる。
【００４６】
ＧＵＩ制御部１１はこの第１操作に応答して表示画面４０を縮小し、縮小後の表示画面４０を縮小画面４０Ａとして表示領域２ａの一部に表示することができる。図１０はＧＵＩ制御部１１の動作の一例を示すフローチャートであり、図１１は、縮小画面４０Ａを表示したときの表示領域２ａの一例を概略的に示す図である。
【００４７】
まずステップＳＴ１にて、ＧＵＩ制御部１１は、モード変更要素ＭＥ１に対する第１操作が行われたか否かを判断する。モード変更要素ＭＥ１に対する第１操作が行われていないと判断したときには、ステップＳＴ１を再び実行する。モード変更要素ＭＥ１に対する第１操作が行われたと判断したときには、ステップＳＴ２にて、ＧＵＩ制御部１１は表示画面４０を縮小し、縮小後の表示画面４０を縮小画面４０Ａとして表示領域２ａに表示する（図１１も参照）。ここでは、縮小画面４０Ａを表示するモードを縮小モードとも呼び、表示画面４０を表示するモードを通常モードとも呼ぶ。
【００４８】
図１１に例示するように、縮小モードにおいて縮小画面４０Ａは表示領域２ａの一部に表示されている。また図１１の縮小画面４０Ａは図８の表示画面４０（ロック画面）に対応している。つまり図１１は、図８のモード変更要素ＭＥ１が操作されたときの表示領域２ａの一例を示している。
【００４９】
また図１１に例示するように、ＧＵＩ制御部１１は表示領域２ａ内において縮小画面４０Ａを一方側に平行移動して表示してもよい。図１１の例示では、縮小画面４０Ａを端部２Ｂ側に表示させている。
【００５０】
以上のように、縮小モードにおいては、通常モードにおける表示画面４０が縮小画面４０Ａとして表示されている。また図１１の例示では、縮小画面４０Ａを端部２Ｂ側に表示させているので、右手９０の親指９１が縮小画面４０Ａの全領域に届きやすい。したがって、右手９０を用いた操作を容易にすることができる。勿論、縮小画面４０Ａを端部２Ａ側に表示させれば、左手８０の親指８１が縮小画面４０Ａの全領域に届きやすく、左手８０を用いた操作を容易にすることができる。
【００５１】
なお、縮小モードにおけるモード変更要素ＭＥ１は、通常モードにおけるモード変更要素ＭＥ１と同じ位置および同じサイズで表示されてもよい。あるいは、モード変更要素ＭＥ１も、表示画面４０と同様に縮小して表示されてもよい。
【００５２】
図１０を再び参照して、ステップＳＴ２の次のステップＳＴ３にて、ＧＵＩ制御部１１は、モード変更要素ＭＥ１に対する第１操作が行われたか否かを判断する。モード変更要素ＭＥ１に対する第１操作が行われていないと判断したときには、ステップＳＴ３を再び実行する。モード変更要素ＭＥ１に対する第１操作が行われたと判断したときには、ステップＳＴ４にて、ＧＵＩ制御部１１は、縮小画面４０Ａを拡大して表示画面４０を表示領域２ａに表示する。つまり、モード変更要素ＭＥ１に対する第１操作によって、通常モードと縮小モードとを切り替える。
【００５３】
ＧＵＩ設定部１２は、モード変更要素ＭＥ１を端部２Ａに表示するのか、端部２Ｂに表示するのかを、入力部５０へのユーザ入力に基づいて設定することができる。具体的な設定方法の一例については後に述べる。
【００５４】
例えばユーザは、右手９０を用いて携帯電子機器１を操作する場合に、モード変更要素ＭＥ１を端部２Ｂに表示するように設定してもよい。端部２Ｂに表示されたモード変更要素ＭＥ１に対しては、右手９０の親指９１が届きやすいので、このモード変更要素ＭＥ１を操作しやすい。また例えばユーザは、左手８０を用いて携帯電子機器１を操作する場合に、モード変更要素ＭＥ１を端部２Ａに表示するように設定してもよい。端部２Ａに表示されたモード変更要素ＭＥ１に対しては、左手８０の親指８１が届きやすいので、このモード変更要素ＭＥ１を操作しやすい。
【００５５】
しかも、モード変更要素ＭＥ１は端部２Ａ，２Ｂの一方に表示されるので、これが表示領域２ａの中央に表示される場合に比べて、他の要素の表示を邪魔しにくい。よって、ユーザは表示画面を見やすく、他の要素に対する操作を行いやすいのである。
【００５６】
なお図７から図９および図１１に例示するように、通常モードにおけるモード変更要素ＭＥ１の図記号は、縮小モードにおけるモード変更要素ＭＥ１の図記号と相違していてもよい。例えば図７から図９の通常モードでは、モード変更要素ＭＥ１は二重丸の図記号によって表記されており、図１１の縮小モードでは、モード変更要素ＭＥ１は、紙面右斜めに伸びる両端矢印が、二重の円によって囲まれた図記号によって表記されている。
【００５７】
なお上述の例では、モード変更要素ＭＥ１は、図７から図９の表示領域２ａのいずれにも配置されている。しかるに、例えばキーガード画面およびロック画面においてはモード変更要素ＭＥ１が配置されずに、ホーム画面においてモード変更要素ＭＥ１が配置されてもよい。つまり、キーガード画面およびロック画面が表示された状態では、縮小モードを採用できなくてもよい。なおホーム画面から遷移する任意の画面においても、適宜にモード変更要素ＭＥ１を表示してもよい。
【００５８】
＜モード変更要素ＭＥ１の表示位置の設定方法＞
モード変更要素ＭＥ１の表示位置（端部２Ａまたは端部２Ｂ）は、例えば次に詳述するように設定されてもよい。例えば図１２に示すように、表示領域２ａを分割する仮想的な基準線Ｂ１を設ける。図１２では、基準線Ｂ１は例えば端部２Ａ，２Ｂから等距離にある点の集合である。この基準線Ｂ１は表示領域２ａの長手方向Ｄ１に沿って延在しつつ、表示領域２ａを短手方向Ｄ２に等分割する。この基準線Ｂ１によって表示領域２ａは第１領域２ｂと第２領域２ｃとに分割される。第１領域２ｂは基準線Ｂ１よりも端部２Ａ側の領域であり、第２領域２ｃは基準線Ｂ１よりも端部２Ｂ側の領域である。
【００５９】
ＧＵＩ設定部１２は、端部２Ａ側の第１領域２ｂにおいて第２操作が行われたときに、モード変更要素ＭＥ１を端部２Ａに表示するように設定し、端部２Ｂ側の第２領域２ｃに対して第２操作が行われたときに、モード変更要素ＭＥ１を端部２Ｂに表示するように設定する。第２操作としては、例えば、モード変更要素ＭＥ１に対するドラッグ操作の終了を採用できる。なお、要素に対するドラッグ操作とは、操作子を当該要素に対して近接させて、その状態で操作子を表示領域２ａに対して水平に移動させることで行われる。またこのドラッグ操作においては、その要素は操作子に追随して表示される。
【００６０】
ユーザがモード変更要素ＭＥ１に対してドラッグ操作を行い、このドラッグ操作を第１領域２ｂにおいて終了したときに、ＧＵＩ設定部１２は、モード変更要素ＭＥ１の表示位置を端部２Ａに設定する。同様に、このドラッグ操作を第２領域２ｃにおいて終了したときに、ＧＵＩ設定部１２はモード変更要素ＭＥ１の表示位置を端部２Ｂに設定する。以下に、図１２から図１４を参照して、より詳細に説明する。
【００６１】
まずＧＵＩ設定部１２はモード変更要素ＭＥ１に対するドラッグ操作を受け付ける。ユーザは例えば図１２に示すように、端部２Ｂ側に表示されたモード変更要素ＭＥ１に対してドラッグ操作を行って、モード変更要素ＭＥ１を端部２Ａ側に移動させる。図１２の例示では、ドラッグ操作による移動方向をブロック矢印で示しており、また、ドラッグ操作を行う前のモード変更要素ＭＥ１を破線で示示している。さらに、モード変更要素ＭＥ１に対するドラッグ操作を行うときの操作指も模式的に示している。モード変更要素ＭＥ１は操作指に追随して表示される。
【００６２】
ユーザは第１領域２ｂにおいてドラッグ操作を終了する（図１３も参照）。なおドラッグ操作の終了は、操作指を表示領域２ａから遠ざけることで行われる。つまり、第１領域２ｂにおいて操作指を表示領域２ａから遠ざける。図１３の例示では、ドラッグ操作を終了する直前のモード変更要素ＭＥ１および操作指が破線で示されている。ドラッグ操作を終了した位置はタッチパネル５２によって検出されてＧＵＩ設定部１２に出力される。ここでは、ドラッグ操作の終了位置が第１領域２ｂ内にあるので、ＧＵＩ設定部１２はモード変更要素ＭＥ１を端部２Ａに表示するように設定する。これに伴って、ＧＵＩ制御部１１はモード変更要素ＭＥ１を端部２Ａに表示する。図１３の例示では、ドラッグ操作の終了によってモード変更要素ＭＥ１が端部２Ａへと移動したことを、ブロック矢印で示している。
【００６３】
また、モード変更要素ＭＥ１に対するドラッグ操作を第２領域２ｃにおいて終了すると（図１４参照）、ＧＵＩ設定部１２は、モード変更要素ＭＥ１を端部２Ｂに表示するように設定する。図１４でも、ドラッグ操作を終了する直前のモード変更要素ＭＥ１および操作指が破線で示され、またドラッグ操作の終了によって、モード変更要素ＭＥ１が端部２Ｂへと移動したことをブロック矢印で示している。これに伴って、ＧＵＩ制御部１１はモード変更要素ＭＥ１を端部２Ｂに表示する。
【００６４】
図１５は上述のＧＵＩ設定部１２の動作の一例を示すフローチャートである。なお図１５の例示では、「ＧＵＩ設定モード」との表記があるものの、このモードについては後に述べる。まずステップＳＴ１１にて、ＧＵＩ設定部１２は、モード変更要素ＭＥ１に対するドラッグ操作が行われたか否かを判断する。ドラッグ操作が行われていないと判断すると、再びステップＳＴ１１を実行する。ドラッグ操作が行われたと判断すると、ステップＳＴ１２にて、ＧＵＩ設定部１２は、操作指の移動に追随してモード変更要素ＭＥ１を表示する。次にステップＳＴ１３にて、ＧＵＩ設定部１２はドラッグ操作を終了した否かを判断する。ドラッグ操作を終了していないと判断したときには、再びステップＳＴ１２を実行する。
【００６５】
ドラッグ操作を終了したと判断したときには、ステップＳＴ１４にて、ＧＵＩ設定部１２はドラッグ操作の終了位置に応じて、モード変更要素ＭＥ１の表示位置を決定する。図１６は、ドラッグ操作の終了位置に応じてモード変更要素ＭＥ１の表示位置を決める動作の一例を示すフローチャートである。ステップＳＴ１４１にて、ＧＵＩ設定部１２はドラッグ操作が第１領域２ｂおよび第２領域２ｃのいずれにおいて終了したのかを判断する。第１領域２ｂにおいてドラッグ操作が終了したと判断したときには、ステップＳＴ１４２にて、ＧＵＩ設定部１２はモード変更要素ＭＥ１の表示位置を端部２Ａに設定する。つまりモード変更要素ＭＥ１を端部２Ａに表示するように設定する。ステップＳＴ１４１にて第２領域２ｃにおいてドラッグ操作が終了したと判断したときには、ステップＳＴ１４３にて、ＧＵＩ設定部１２はモード変更要素ＭＥ１の表示位置を端部２Ｂに設定する。
【００６６】
以上のように、ユーザは、モード変更要素ＭＥ１を端部２Ａ，２Ｂのどちらに表示するのかを、端部２Ａ側の第１領域２ｂまたは端部２Ｂ側の第２領域２ｃへの第２操作（例えばドラッグ操作の終了操作）によって、設定することができる。これによれば、直感的な操作によって、モード変更要素ＭＥ１の表示位置を設定することができる。
【００６７】
＜ＧＵＩ設定モード＞
モード変更要素ＭＥ１の設定を行うモード（ここではＧＵＩ設定モードと呼ぶ）を導入してもよい。ＧＵＩ設定部１２は、例えばモード変更要素ＭＥ１に対する第３操作を検出したときに、ＧＵＩ設定モードを採用してもよい。このＧＵＩ設定モードにおいて、ＧＵＩ設定部１２は、モード変更要素ＭＥ１を端部２Ａ，２Ｂのどちらに配置するのかの入力を受け付ける。換言すれば、ＧＵＩ設定モードが採用されていないときには、ＧＵＩ設定部１２はモード変更要素ＭＥ１の表示位置を設定する操作を受け付けない。第３操作は第１操作とは異なる操作であって、例えば次の操作を採用できる。例えば、操作子を表示領域２ａに近接させた状態を所定時間に亘って維持し、その後、操作子を表示領域２ａから遠ざける操作（いわゆるロングタップ操作）を採用できる。この所定時間は、タップ操作において操作子が表示領域２ａに近接する時間よりも長い。また第３操作としては、例えば、タップ操作を短時間で複数回行う操作（例えばダブルタップ操作）を採用してもよい。
【００６８】
図１７は、上述のＧＵＩ設定部１２の動作の一例を示す図である。ステップＳＴ２１にて、ＧＵＩ設定部１２は、モード変更要素ＭＥ１に対する第３操作が行われたか否かを判断する。第３操作が行われていないと判断したときには、再びステップＳＴ２１を実行する。ステップＳＴ２２にて、ＧＵＩ設定部１２はＧＵＩ設定モードを採用する。このＧＵＩ設定モードにおいて、ＧＵＩ設定部１２はモード変更要素ＭＥ１を設定するための操作を受け付ける（例えば図１２〜図１６参照）。
【００６９】
以上のように、ＧＵＩ設定モードが採用されないと、モード変更要素ＭＥ１の表示位置を設定できない。したがって、モード変更要素ＭＥ１に対する誤操作によってモード変更要素ＭＥ１の表示位置が誤って設定されることを、抑制できる。
【００７０】
なおＧＵＩ設定モードの終了も、モード変更要素ＭＥ１に対する第３操作によって行われてもよい。つまり、モード変更要素ＭＥ１に対する第３操作によって、ＧＵＩ設定モードの採用／終了を切り替えてもよい。
【００７１】
また上述の例では、モード変更要素ＭＥ１に対する第３操作によってＧＵＩ設定モードを採用しているものの、ＧＵＩ設定モードを採用するための専用の要素を、モード変更要素ＭＥ１と別に設けてもよい。例えば、携帯電子機器１の各種設定を行うための設定画面（不図示）の一つに、当該要素を設けてもよい。
【００７２】
また、モード変更要素ＭＥ１の図記号は、通常モードとＧＵＩ設定モードとにおいて相違させても構わない。ユーザは、モード変更要素ＭＥ１を確認することで、ＧＵＩ設定モードが採用されていることを知ることができる。
【００７３】
また、以下で説明するモード変更要素ＭＥ１の各種設定および縮小画面４０Ａの各種設定は、ＧＵＩ設定モードが採用されたときのみ有効にしても構わない。
【００７４】
＜モード変更要素ＭＥ１の長手方向Ｄ１の表示位置＞
ＧＵＩ設定部１２は、ユーザの入力部５０への入力に応じて、長手方向Ｄ１におけるモード変更要素ＭＥ１の表示位置を設定してもよい。図１８および図１９は、モード変更要素ＭＥ１の長手方向Ｄ１の表示位置を設定する様子の一例を概略的に示している。例えば上述のようにＧＵＩ設定部１２は、ドラッグ操作に応じてモード変更要素ＭＥ１を移動させて表示する。図１８の例示では、ドラッグ操作の前のモード変更要素ＭＥ１が破線で示されており、ドラッグ操作による移動方向をブロック矢印で示している。図１８の例示では、ユーザはモード変更要素ＭＥ１を長手方向Ｄ１に沿って下方側に移動させている。そして、ユーザはモード変更要素ＭＥ１を所望の位置までドラッグ操作した後に、そのドラッグ操作を終了する。即ち、操作指を表示領域２ａから遠ざける。ＧＵＩ設定部１２はこのドラッグ操作の終了に応答して、長手方向Ｄ１におけるモード変更要素ＭＥ１の表示位置を設定する。具体的には、この表示位置を、ドラッグ操作を終了したときの操作指の長手方向Ｄ１の位置に設定する。これに伴って、ＧＵＩ制御部１１は、設定された位置にモード変更要素ＭＥ１を表示する。例えば図１８の位置でドラッグ操作を終了することにより、その終了位置においてモード変更要素ＭＥ１が表示される（図１９参照）。これによりユーザは、ドラッグ操作を長手方向Ｄ１において所望の位置で終了することにより、その所望の位置をモード変更要素ＭＥ１の長手方向Ｄ１における表示位置に設定できる。
【００７５】
また、モード変更要素ＭＥ１へのドラッグ操作によって、短手方向Ｄ２における表示位置（端部２Ａか端部２Ｂか）と、長手方向Ｄ１における表示位置との両方を設定してもよい。図２０は、モード変更要素ＭＥ１の表示位置を設定する様子の一例を概略的に示す図である。例えば図２０に示すように、ユーザはモード変更要素ＭＥ１に対してドラッグ操作を行って、モード変更要素ＭＥ１を斜めに移動させる。図２０の例示では、端部２Ｂに表示されていたモード変更要素ＭＥ１を左下方向に移動させている。そして、第１領域２ｂにおいてドラッグ操作を終了する。ドラッグ操作が第１領域２ｂにおいて終了するので、ＧＵＩ設定部１２は、モード変更要素ＭＥ１は端部２Ａに表示されるように設定する。さらにＧＵＩ設定部１２は、モード変更要素ＭＥ１の長手方向Ｄ１における表示位置を、そのドラッグ操作の長手方向Ｄ１における終了位置に、設定する。
【００７６】
これによれば、一連のドラッグ操作によって、モード変更要素ＭＥ１の短手方向Ｄ２における表示位置と、長手方向Ｄ１における表示位置との両方を設定することができ、設定を容易にできる。
【００７７】
図２１は、上述のＧＵＩ設定部１２の動作の一例を示すフローチャートである。図２１では図１６に比して、ステップＳＴ１４４が設けられている。ステップＳＴ１４４は例えばステップＳＴ１４２またはステップＳＴ１４３の次に実行される。ステップＳＴ１４４では、ＧＵＩ設定部１２は、長手方向Ｄ１におけるモード変更要素ＭＥ１の表示位置を、長手方向Ｄ１におけるドラッグ操作の終了位置に設定する。
【００７８】
なお、図２１の例示において、ステップＳＴ１４１〜ＳＴ１４３の一組と、ステップＳＴ１４４の実行順序は逆でも構わない。
【００７９】
＜モード変更要素の非表示＞
ＧＵＩ制御部１１は、モード変更要素ＭＥ１を表示領域２ａに配置するものの、これを表示しなくてもよい。つまりモード変更要素ＭＥ１を非表示としてもよい。図２２は、このときの表示画面４０の一例を概略的に示す図である。図２２では、モード変更要素ＭＥ１に対応する領域を仮想的に二点鎖線で示している。実際の表示画面４０では、この二点鎖線も表示されていない。図２２の例示では、モード変更要素ＭＥ１に対する領域は例えば長方形状を有しており、端部２Ｂに接して長手方向Ｄ１に沿って延在している。このモード変更要素ＭＥ１に対して第１操作が行われると、ＧＵＩ制御部１１はこの第１操作に応答して、表示画面４０を縮小し、縮小後の表示画面４０を縮小画面４０Ａとして表示する。つまり縮小モードを採用する。
【００８０】
モード変更要素ＭＥ１の表示位置は、次のように設定されてもよい。図２３はモード変更要素ＭＥ１の表示位置を設定するための表示画面４０の一例を概略的に示している。この表示画面４０は、例えばＧＵＩ設定モードが採用されたときに表示されてもよい。つまり、例えばモード変更要素ＭＥ１に対する第３操作（例えばロングタップ操作またはダブルタップ操作）が行われたときに、ＧＵＩ設定部１２がこの表示画面４０を表示するのである。
【００８１】
図２３に例示するように、表示画面４０には、モード変更要素ＭＥ１の端部２Ａ側の複数位置および端部２Ｂ側の複数位置として、複数の候補ＭＥ１１〜ＭＥ１８が表示されている。図２３の例示では、４つの候補ＭＥ１１〜ＭＥ１４が端部２Ａにおいて、紙面上方から紙面下方へとこの順で配置されており、４つの候補ＭＥ１５〜ＭＥ１８が端部２Ｂにおいて、紙面上方から紙面下方へとこの順で配置されている。候補ＭＥ１１〜ＭＥ１８の各々は例えば長手方向Ｄ１に沿って延びる長方形状を有している。
【００８２】
この候補ＭＥ１１〜ＭＥ１８に対する操作（例えばタップ操作）が行われると、ＧＵＩ設定部１２は、操作が行われた候補をモード変更要素ＭＥ１に設定する。これにより、モード変更要素ＭＥ１の表示位置が設定される。言い換えれば、入力部５０を介してユーザによって選択された複数位置の一つに、モード変更要素の位置が設定される。
【００８３】
以上のように、モード変更要素ＭＥ１は、予め決められた複数の表示位置（候補ＭＥ１１〜ＭＥ１８の表示位置）の一つに設定される。なお図２３の例示では、８つの候補が表示されているものの、候補の数は適宜に設定すればよい。
【００８４】
図２４は、上述のＧＵＩ設定部１２の動作の一例を示すフローチャートである。ステップＳＴ３１にて、ＧＵＩ設定部１２は、モード変更要素ＭＥ１についての複数の候補ＭＥ１１〜ＭＥ１８を表示領域２ａに表示する。次に、ステップＳＴ３２にて、ＧＵＩ設定部１２は、候補に対する操作が行われたか否かを判断する。操作が行われていないと判断したときにはステップＳＴ３２を再び実行する。操作が行われたと判断したときには、ステップＳＴ３３にて、ＧＵＩ設定部１２はモード変更要素ＭＥ１の表示位置を、操作が行われた候補に設定する。
【００８５】
＜縮小画面４０Ａの表示位置（端部２Ａ，２Ｂ）の設定＞
ＧＵＩ設定部１２は入力部５０へのユーザの入力に応じて、縮小画面４０Ａの表示位置を設定してもよい。例えば、縮小画面４０Ａを端部２Ａ側に表示するのか、端部２Ｂ側に表示するのかを設定する。より具体的には、モード変更要素ＭＥ１の表示位置に応じて、縮小画面４０Ａの表示位置を設定してもよい。例えば、第１領域２ｂおよび第２領域２ｃに対する第２操作（例えばドラッグ操作の終了）に応じて、モード変更要素ＭＥ１の表示位置を設定する場合には、第１領域２ｂおよび第２領域２ｃに対する第２操作に応じて、縮小画面４０Ａの表示位置を設定する。具体的には、第１領域２ｂにおいて第２操作が行われたときには、縮小画面４０Ａを端部２Ａ側に表示するように設定し、第２領域２ｃにおいて第２操作が行われたときには、縮小画面４０Ａを端部２Ｂ側に表示するように設定する。
【００８６】
言い換えれば、ＧＵＩ制御部１１は、縮小画面４０Ａを、モード変更要素ＭＥ１が表示される端部側に表示する。
【００８７】
つまり、モード変更要素ＭＥ１を端部２Ａに表示するように設定している場合には、左手８０で携帯電子機器１を操作することが想定されているので、縮小画面４０Ａも端部２Ａ側に表示するのである。これにより、モード変更要素ＭＥ１および縮小画面４０Ａの両方に対する左手８０での操作を容易にできる。同様に、モード変更要素ＭＥ１を端部２Ｂに表示するように設定している場合には、右手９０で携帯電子機器１を操作することが想定されているので、縮小画面４０Ａも端部２Ｂ側に表示するのである。これにより、モード変更要素ＭＥ１および縮小画面４０Ａの両方に対する右手９０での操作を容易にすることができる。
【００８８】
図２５は、縮小画面４０Ａの表示位置（端部２Ａ，２Ｂ）を設定する様子の一例を概略的に示す図である。なお図２５では２つの表示領域２ａの間で、ハッチング付のブロック矢印が示されている。これは、表示領域２ａの遷移を示している。他の図面でも同様である。
【００８９】
図２５の例示では、初期的には、モード変更要素ＭＥ１は端部２Ｂに表示されており、縮小画面４０Ａも端部２Ｂ側に表示される（図２５の左側の表示領域２ａ）。例えば、端部２Ｂに表示されていたモード変更要素ＭＥ１に対してドラッグ操作を行って、これを第１領域２ｂに移動させる。図２５の右側の表示領域２ａでは、ドラッグ操作によって第１領域２ｂまで移動したモード変更要素ＭＥ１と、操作指とを破線で示している。
【００９０】
またＧＵＩ設定部１２は、ドラッグ操作によるモード変更要素ＭＥ１の表示位置に応じて、縮小画面４０Ａの表示位置を変更してもよい。具体的には、ドラッグ操作によって、モード変更要素ＭＥ１が第１領域２ｂに表示されているときに、縮小画面４０Ａを端部２Ａ側に表示し、モード変更要素ＭＥ１が第２領域２ｃに表示されているときに、縮小画面４０Ａを端部２Ｂ側に表示してもよい。図２５の紙面右側の表示領域２ａでは、モード変更要素ＭＥ１が第１領域２ｂに表示されているので、ＧＵＩ設定部１２は縮小画面４０Ａを端部２Ａ側に表示させている。
【００９１】
そして、第１領域２ｂにおいてドラッグ操作を終了すると、ＧＵＩ設定部１２は、この終了位置に基づいて、モード変更要素ＭＥ１の表示位置を端部２Ａに設定するとともに、縮小画面４０Ａの表示位置も端部２Ａに設定する。
【００９２】
図示を省略しているものの、例えば第２領域２ｃにおいてドラッグ操作を終了すると、ＧＵＩ設定部１２は、この終了位置に基づいて、モード変更要素ＭＥ１の表示位置を端部２Ｂに設定するとともに、縮小画面４０Ａの表示位置も端部２Ｂに設定する。
【００９３】
図２６は上述のＧＵＩ設定部１２の動作の一例を示すフローチャートである。図１６と比較して、ステップＳＴ１４５，ＳＴ１４６が更に設けられている。ステップＳＴ１４５は例えばステップＳＴ１４２の次に実行される。ステップＳＴ１４５においては、ＧＵＩ設定部１２は、縮小画面４０Ａを端部２Ａ側に表示するように設定する。ステップＳＴ１４６は例えばステップＳＴ１４３の次に実行される。ステップＳＴ１４６においては、ＧＵＩ設定部１２は、縮小画面４０Ａを端部２Ｂ側に表示するように設定する。
【００９４】
なおステップＳＴ１４２，ＳＴ１４５の実行順序は逆でもよく、ステップＳＴ１４３，ＳＴ１４６の実行順序は逆でもよい。また図２６の例示では、モード変更要素ＭＥ１に対する設定と、縮小画面４０Ａに対する設定とを別々のステップで行っているものの、同じステップで行ってもよい。例えば、モード変更要素ＭＥ１および縮小画面４０Ａを端部２Ａに表示する設定情報を記憶部１０３などに記憶し、モード変更要素ＭＥ１および縮小画面４０Ａを端部２Ｂに表示する設定情報を記憶部１０３などに記憶すればよい。
【００９５】
＜縮小画面４０Ａの長手方向における表示位置の設定＞
ＧＵＩ設定部１２は、モード変更要素ＭＥ１の長手方向Ｄ１における位置に応じて、縮小画面４０Ａの長手方向Ｄ１における表示位置を設定してもよい。図２７は、長手方向Ｄ１における縮小画面４０Ａの表示位置を設定する様子の一例を概略的に示している。長手方向Ｄ１における縮小画面４０Ａの表示位置は、例えばモード変更要素ＭＥ１に対するドラッグ操作によって設定してもよい。以下に詳述する。
【００９６】
例えば上述のようにＧＵＩ設定部１２はモード変更要素ＭＥ１に対するドラッグ操作に応じて、モード変更要素ＭＥ１を移動させて表示する。例えばモード変更要素ＭＥ１へとドラッグ操作を行って、モード変更要素ＭＥ１を下方側へと移動させる。図２７に例示する紙面右側の表示領域２ａでは、ドラッグ操作の前のモード変更要素ＭＥ１が破線で示されており、ドラッグ操作による移動方向を白抜きのブロック矢印で示している。
【００９７】
またＧＵＩ設定部１２はドラッグ操作の長手方向Ｄ１における移動に応じて、縮小画面４０Ａを長手方向Ｄ１に沿って移動させて表示する。具体的には、ドラッグ操作によってモード変更要素ＭＥ１を長手方向Ｄ１の下方側に移動させると、これに応じて縮小画面４０Ａを例えば下方側に移動させる。ドラッグ操作によってモード変更要素ＭＥ１を長手方向Ｄ１の上方側に移動させると、これに応じて縮小画面４０Ａを例えば上方側に移動させる。
【００９８】
そして、ユーザはモード変更要素ＭＥ１および縮小画面４０Ａを所望の位置まで移動させた後に、そのドラッグ操作を終了する。即ち、操作指を表示領域２ａから遠ざける。ＧＵＩ設定部１２はこのドラッグ操作の終了に応答して、モード変更要素ＭＥ１の長手方向Ｄ１における表示位置を設定するとともに、縮小画面４０Ａの長手方向Ｄ１における表示位置を設定する。具体的には、この表示位置を、ドラッグ操作を終了したときの縮小画面４０Ａの表示位置に設定する。以上のように、ユーザはモード変更要素ＭＥ１に対するドラッグ操作を所望の位置で終了することにより、モード変更要素ＭＥ１の長手方向Ｄ１における表示位置と、縮小画面４０Ａの長手方向Ｄ１における表示位置とを設定できる。これによれば、長手方向Ｄ１におけるモード変更要素ＭＥ１の表示位置と、長手方向Ｄ１における縮小画面４０Ａの表示位置を互いに連動させて設定することができる。
【００９９】
例えばモード変更要素ＭＥ１の表示位置を下方側に設定する場合には、表示領域２ａの下方側を操作しやすいと考えることができる。よって、このモード変更要素ＭＥ１とともに、縮小画面４０Ａの表示位置も下方側に設定するのである。これにより、モード変更要素ＭＥ１のみならず、縮小画面４０Ａも操作しやすい位置に表示できる。同様に、表示領域２ａの上方側の領域を操作しやすい場合には、ユーザはモード変更要素ＭＥ１の表示位置を上方側に設定する。よって、このモード変更要素ＭＥ１とともに、縮小画面４０Ａの表示位置も上方側に設定するのである。これにより、モード変更要素ＭＥ１のみならず、縮小画面４０Ａも操作しやすい位置に表示できる。
【０１００】
図２８は上記のＧＵＩ設定部１２の動作の一例を示すフローチャートである。図２８の例示では、図２１と比較して、ステップＳＴ１４７が更に設けられている。ステップＳＴ１４７は例えばステップＳＴ１４４の後に実行される。このステップＳＴ１４７においては、ＧＵＩ設定部１２は、縮小画面４０Ａの長手方向Ｄ１における表示位置を、モード変更要素ＭＥ１に対するドラッグ操作の終了位置に基づいて上述のように設定する。
【０１０１】
なおステップＳＴ１４１〜ＳＴ１４３の一組、ステップＳＴ１４４およびステップＳＴ１４７の実行順序は、図２８に限らず、適宜に入れ替えても構わない。
【０１０２】
さらに長手方向Ｄ１におけるモード変更要素ＭＥ１の表示位置と、長手方向Ｄ１における縮小画面４０Ａの表示位置とは、次で説明するように設定されてもよい。例えば図２９を参照して、表示領域２ａの下端部２Ｃよりも上端部２Ｄ側に位置する仮想的な基準線Ｐｍｉｎを導入する。基準線Ｐｍｉｎは短手方向Ｄ２に沿って延びる仮想的な線である。モード変更要素ＭＥ１がこの基準線Ｐｍｉｎよりも上端部２Ｄ側に位置するときには、上述のように、モード変更要素ＭＥ１の表示位置に応じて、縮小画面４０Ａの表示位置が設定される。具体的には、モード変更要素ＭＥ１が下方に位置するほど、縮小画面４０Ａも下方に位置するように設定される。そして、この基準線Ｐｍｉｎにモード変更要素ＭＥ１が位置するときに、縮小画面４０Ａは表示領域２ａに対して最も下方に位置する（図２９の紙面左側の表示領域２ａ参照）。
【０１０３】
モード変更要素ＭＥ１が基準線Ｐｍｉｎよりも下端部２Ｃ側に位置するとき（図２９の紙面右側の表示領域２ａ参照）には、縮小画面４０Ａは、モード変更要素ＭＥ１の位置に依らず、表示領域２ａに対して最も下端部２Ｃ側に位置する。つまり、モード変更要素ＭＥ１が基準線Ｐｍｉｎよりも上方に位置するときには、ドラッグ操作によりモード変更要素ＭＥ１を下方に移動させると、これに応じて縮小画面４０Ａも下方に移動する。しかるに、モード変更要素ＭＥ１を基準線Ｐｍｉｎまで移動させて、縮小画面４０Ａを最下方に位置させると、モード変更要素ＭＥ１を基準線Ｐｍｉｎよりも下方に移動させても、縮小画面４０Ａはこれよりも下方には移動しないのである。
【０１０４】
なお、表示領域２ａの上端部２Ｄよりも下端部２Ｃ側に仮想的な基準線Ｐｍａｘを導入してもよい。モード変更要素ＭＥ１が基準線Ｐｍａｘよりも下方に位置するときには、ドラッグ操作によりモード変更要素ＭＥ１を上方に移動させると、これに応じて縮小画面４０Ａも上方に移動する。しかるに、モード変更要素ＭＥ１を基準線Ｐｍａｘまで移動させて、縮小画面４０Ａを最上方に位置させると、モード変更要素ＭＥ１を基準線Ｐｍａｘよりも上方に移動させても、縮小画面４０Ａはこれよりも上方には移動しなくてもよい。
【０１０５】
＜縮小画面のサイズ設定＞
ＧＵＩ設定部１２は、入力部５０への入力に応答して、縮小画面４０Ａのサイズを設定してもよい。図３０は、縮小画面４０Ａのサイズを設定する様子の一例を概略的に示す図である。縮小画面４０Ａのサイズは、例えばモード変更要素ＭＥ１に対するドラッグ操作によって設定してもよい。以下に詳述する。
【０１０６】
例えば上述のようにＧＵＩ設定部１２はモード変更要素ＭＥ１に対するドラッグ操作に応じて、モード変更要素ＭＥ１を移動させて表示する。また例えば、ＧＵＩ設定部１２はドラッグ操作の短手方向Ｄ２における移動量に応じて、縮小画面４０Ａのサイズを増減させて表示する。具体的には、ドラッグ操作によってモード変更要素ＭＥ１を短手方向Ｄ２に沿って基準線Ｂ１に近づけるほど、縮小画面４０Ａのサイズを増大させて表示する。図３０の例示では、その紙面左上の表示領域２ａに示すように、初期的にはモード変更要素ＭＥ１は端部２Ｂに表示されている。そして、このモード変更要素ＭＥ１を、その紙面右上の表示領域２ａに示すように、ドラッグ操作により基準線Ｂ１へと近づける。ＧＵＩ設定部１２は、モード変更要素ＭＥ１の短手方向Ｄ２における移動量が大きいほど、縮小画面４０Ａのサイズを増大させて表示している。図３０の紙面右上の表示領域２ａにおいては、元の縮小画面４０Ａの輪郭が一点鎖線で示されている。
【０１０７】
そして、ドラッグ操作により、基準線Ｂ１を跨いでモード変更要素ＭＥ１を端部２Ａ側に移動させると、ＧＵＩ設定部１２は、これに応答して、縮小画面４０Ａを端部２Ａ側に表示する（紙面左下の表示領域２ａ参照）。つまり、ドラッグ操作が第１領域２ｂにおいて行われているときには、縮小画面４０Ａを端部２Ａに表示し、ドラッグ操作が第２領域２ｃにおいて行われているときには、縮小画面４０Ａを端部２Ｂ側に表示するのである。図３０の紙面左下の表示領域２ａにおいては、紙面右側における縮小画面４０Ａの輪郭が一点鎖線で示されている。
【０１０８】
また、この場合であっても、モード変更要素ＭＥ１を基準線Ｂ１に近づけるほど、縮小画面４０Ａのサイズを増大する。言い換えれば、第１領域２ｂにおいてモード変更要素ＭＥ１を端部２Ａ側に近づけるほど、縮小画面４０Ａのサイズを低減する。図３０の紙面右下の表示領域２ａにおいては、紙面左下の縮小画面４０Ａの輪郭が一点鎖線で示されている。
【０１０９】
以上のように、第１領域２ｂにおけるドラッグ操作によって、縮小画面４０Ａを端部２Ａに表示させつつ、そのサイズを変更し、第２領域２ｃにおけるドラッグ操作によって、縮小画面４０Ａを端部２Ｂに表示させつつ、そのサイズを変更するのである。
【０１１０】
そして、ユーザがドラッグ操作を終了すると、ＧＵＩ設定部１２は、その終了位置に基づいて、縮小画面４０Ａの表示位置（端部２Ａか端部２Ｂか）およびサイズを設定する。具体的には、終了位置が第１領域２ｂに属するときには、縮小画面４０Ａを端部２Ａ側に表示し、終了位置が第２領域２ｃに属するときには、縮小画面４０Ａを端部２Ｂ側に表示する。また、縮小画面４０Ａのサイズを、終了位置が基準線Ｂ１に近いほど大きいサイズに設定する。
【０１１１】
これによれば、縮小画面４０Ａの表示位置（端部２Ａか端部２Ｂか）と、縮小画面４０Ａのサイズとを、一連のドラッグ操作によって同時に設定することができる。
【０１１２】
また、この設定方法によれば、モード変更要素ＭＥ１を基準線Ｂ１上に位置させたときに、縮小画面４０Ａのサイズは最大となり、モード変更要素ＭＥ１を端部２Ａまたは端部２Ｂに位置させたときに、縮小画面４０Ａのサイズは最小となる。縮小画面４０Ａのサイズの最大値と最小値とは例えば予め設定されていてもよい。
【０１１３】
また縮小画面４０Ａの長手方向Ｄ１の長さと短手方向Ｄ２の長さの比（縦横比）を変えながらサイズを増減してもよいものの、縦横比を固定してもよい。例えば通常モードの表示画面４０（図７〜図９）の縦横比で、縮小モードにおける縮小画面４０Ａのサイズを増減しても構わない。
【０１１４】
また縮小画面４０Ａのサイズは、縮小画面４０Ａの重心の長手方向Ｄ１の位置が移動しないように、変更してもよい。あるいは、縮小画面４０Ａが表示領域２ａの下側に位置するときには、縮小画面４０Ａを上側に大きく変更し、下側に小さく変更してもよい。
【０１１５】
図３１は上述のＧＵＩ設定部１２の動作の一例を示すフローチャートである。ステップＳＴ４１にて、ＧＵＩ設定部１２は、モード変更要素ＭＥ１に対するドラッグ操作が行われたか否かを判断する。ドラッグ操作が行われていないと判断したときには、ステップＳＴ４１を再び実行する。ドラッグ操作が行われていると判断した場合には、ステップＳＴ４２にて、ＧＵＩ設定部１２は、操作指の移動に追随してモード変更要素ＭＥ１を表示する。次にステップＳＴ４３にて、ＧＵＩ設定部１２は、ドラッグ操作中の操作指の位置（以下、ドラッグ位置と呼ぶ）が第１領域２ｂに属しているか、第２領域２ｃに属しているかを判断する。ドラッグ位置が第１領域２ｂに属しているときには、ステップＳＴ４４にて、ＧＵＩ設定部１２はドラッグ位置に応じたサイズで縮小画面４０Ａを端部２Ａ側に表示する。当該サイズはドラッグ位置が基準線Ｂ１に近いほど大きい。
【０１１６】
ドラッグ位置が第２領域２ｂに属しているときには、ステップＳＴ４５にて、ＧＵＩ設定部１２はドラッグ位置に応じたサイズで縮小画面４０Ａを端部２Ｂ側に表示する。当該サイズはドラッグ位置が基準線Ｂ１に近いほど大きい。
【０１１７】
ステップＳＴ４４，ＳＴ４５の一方を経て、ステップＳＴ４６にて、ＧＵＩ設定部１２はドラッグ操作が終了したか否かを判断する。ドラッグ操作が終了していないと判断したときには、ステップＳＴ４２を再び実行する。
【０１１８】
ステップＳＴ４６にてドラッグ操作が終了したと判断したときには、ステップＳＴ４７にて、ＧＵＩ設定部１２はドラッグ操作の終了位置に応じて、縮小画面４０Ａのサイズおよび表示位置を上述のように設定する。
【０１１９】
なお、モード変更要素ＭＥ１がドラッグ操作によって長手方向Ｄ１にも移動する場合、つまり、モード変更要素ＭＥ１が斜めに移動する場合には、次のようにモード変更要素ＭＥ１および縮小画面４０Ａを設定してもよい。即ち、短手方向Ｄ２におけるドラッグ位置に応じて、上述のように、モード変更要素ＭＥ１の表示位置（端部２Ａか端部２Ｂか）、縮小画面４０Ａの表示位置（端部２Ａか端部２Ｂか）およびサイズを設定し、長手方向Ｄ１におけるドラッグ位置に応じて、モード変更要素ＭＥ１の長手方向Ｄ１における表示位置および縮小画面４０Ａの長手方向Ｄ１における表示位置を設定してもよい。例えば、ドラッグ位置が長手方向Ｄ１において下方に位置するほど、モード変更要素ＭＥ１および縮小画面４０Ａの表示位置を下方に設定すればよい。
【０１２０】
第２の実施の形態．
第１の実施の形態では、モード変更要素ＭＥ１に対する操作によって、モード変更要素ＭＥ１の表示位置と、縮小画面４０Ａの表示位置またはサイズとを連動させて設定する場合を説明した。しかしながら、モード変更要素ＭＥ１に対する操作を用いつつも、これらを連動して設定しなくてもよい。
【０１２１】
例えば、モード変更要素ＭＥ１を設定する要素設定モードと、縮小画面４０Ａを設定する画面設定モードとを導入してもよい。例えばＧＵＩ設定部１２は、モード変更要素ＭＥ１に対する所定の操作（例えばロングタップ操作）に応答して、要素設定モードを採用し、モード変更要素ＭＥ１に対する他の操作（例えばダブルタップ操作）に応答して、画面設定モードを採用する。なお、縮小モード、要素設定モードおよび画面設定モードを採用するためのモード変更要素ＭＥ１への操作は互いに相違する。以下では、画面設定モードが採用されたときの、縮小画面４０Ａの設定について説明する。
【０１２２】
例えば図２５において、モード変更要素ＭＥ１に対するドラッグ操作によって、短手方向Ｄ２における縮小画面４０Ａの表示位置（端部２Ａか端部２Ｂ）を、第１の実施の形態と同様に設定する。ただし、画面設定モードにおいては、モード変更要素ＭＥ１の表示位置は設定されない。この場合、例えば図２５の紙面右側の表示領域２ａにおいて破線で示すように、ドラッグ操作を第１領域２ｂにおいて終了したとしても、図２５とは異なり、モード変更要素ＭＥ１はドラッグ操作の直前の位置（ここでは端部２Ａ）に表示される。
【０１２３】
また例えば図２７において、モード変更要素ＭＥ１に対するドラッグ操作によって、長手方向Ｄ１における縮小画面４０Ａの表示位置を、第１の実施の形態と同様に設定する。ただし、画面設定モードにおいては、モード変更要素ＭＥ１の表示位置は設定されない。この場合、ドラッグ操作の終了によって、モード変更要素ＭＥ１はドラッグ操作の直前の位置に表示される。
【０１２４】
また例えば図３０において、ＧＵＩ設定部１２はモード変更要素ＭＥ１に対するドラッグ操作によって、縮小画面４０Ａのサイズおよび短手方向Ｄ２における表示位置（端部２Ａか端部２Ｂか）を、第１の実施の形態と同様に設定する。ただし、画面設定モードにおいては、モード変更要素ＭＥ１の表示位置（端部２Ａか端部２Ｂか）は設定されない。この場合もドラッグ操作の終了によって、モード変更要素ＭＥ１はドラッグ操作の直前の位置に表示される。
【０１２５】
また、縮小画面４０Ａのサイズのみをモード変更要素ＭＥ１に対するドラッグ操作に応じて設定しても構わない。図３２は、縮小画面４０Ａのサイズを設定する様子の一例を概略的に示す図である。ＧＵＩ設定部１２はドラッグ操作の短手方向Ｄ２における移動量に応じて、縮小画面４０Ａのサイズを増減させて表示する。具体的には、ドラッグ操作によってモード変更要素ＭＥ１を短手方向Ｄ２に沿って移動させるほど、縮小画面４０Ａのサイズを増大させて表示する。図３２の例示では、その紙面左側の表示領域２ａに示すように、初期的にはモード変更要素ＭＥ１は端部２Ｂに表示されている。そして、このモード変更要素ＭＥ１を、その紙面右側の表示領域２ａに示すように、端部２Ａ側へと近づける。ＧＵＩ設定部１２は、モード変更要素ＭＥ１の短手方向Ｄ２における移動量に応じて、縮小画面４０Ａのサイズを増大させて表示している。図３２では、元の縮小画面４０Ａの輪郭が一点鎖線で示されている。
【０１２６】
そして、ユーザは縮小画面４０Ａのサイズが所望のサイズになったときに、そのドラッグ操作を終了する。即ち、操作指を表示領域２ａから遠ざける。ＧＵＩ設定部１２はこのドラッグ操作の終了に応答して、縮小画面４０Ａのサイズを設定する。具体的には、このサイズを、ドラッグ操作を終了したときの縮小画面４０Ａのサイズに設定する。
【０１２７】
第３の実施の形態．
第１および第２の実施の形態では、モード変更要素ＭＥ１に対する操作によって、縮小画面４０Ａの表示位置またはサイズを設定した。ここでは、異なる操作によって縮小画面４０Ａの表示位置またはサイズを設定する。
【０１２８】
＜縮小画面４０Ａのサイズ設定＞
縮小画面４０Ａの輪郭は長方形を形成しており、その輪郭の角部に対する第４操作が行われたときに、ＧＵＩ設定部１２は縮小画面４０Ａのサイズを変更してもよい。第４操作としては、例えばドラッグ操作を採用することができる。例えばＧＵＩ設定部１２は当該角部に対するドラッグ操作の終了位置に基づいて、縮小画面４０Ａのサイズを設定する。
【０１２９】
図３３は縮小画面４０Ａのサイズを設定する様子の一例を概略的に示す図である。図３３の例示では、縮小画面４０Ａの角部、例えば紙面左上の角部４０ａに対してドラッグ操作を行って（紙面左側の表示領域２ａ参照）、角部４０ａを紙面左上に移動させる（紙面右側の表示領域２ａ参照）。これに伴って、ＧＵＩ設定部１２は、その角部４０ａがドラッグ位置と一致するサイズで、縮小画面４０Ａを表示する。図３３の紙面右側の表示領域２ａでは、ドラッグ操作の前の縮小画面４０Ａの輪郭が一点鎖線で示されている。
【０１３０】
そして、このドラッグ操作を終了したときに、ＧＵＩ設定部１２は、この終了位置に基づいて縮小画面４０Ａのサイズを設定する。詳細には、角部４０ａが終了位置に一致するサイズに、縮小画面４０Ａのサイズを設定する。
【０１３１】
なお、ドラッグ操作の対象となる角部は縮小画面４０Ａの全ての角部４０ａ〜４０ｄであってもよく、あるいは、端部２Ａ，２Ｂに接しない角部であってもよい。図３３の例示では、縮小画面４０Ａは端部２Ｂに接しているので、紙面左上の角部４０ａおよび紙面左下の角部４０ｂが操作対象であり、紙面右上の角部４０ｃおよび紙面右下の角部４０ｄは操作対象でなくてもよい。また縮小画面４０Ａが端部２Ａに接している場合には、紙面右上の角部４０ｃおよび紙面右下の角部４０ｄが操作対象であり、紙面左上の角部４０ａおよび紙面左下の角部４０ｂは操作対象でなくてもよい。
【０１３２】
また、図３３に例示するように、ＧＵＩ設定部１２は縮小画面４０Ａの角部４０ａ，４０ｂに図記号４０Ｚを表示してもよい。この図記号４０Ｚは、例えばユーザによる角部への操作に応じて表示される。つまり、ユーザが角部を操作すると、ＧＵＩ設定部１２はこの操作に応答して図記号４０Ｚを表示する。この図記号４０Ｚは、例えば角部に対して適切に第４操作が行われていることを示すための記号である。
【０１３３】
図３３の例示では、図記号４０Ｚの一部として、斜め方向に延びる両端矢印が採用されている。この両端矢印は、縮小画面４０Ａの対角線に略沿って延在している。これによれば、ユーザは角部に対するドラッグ操作によって縮小画面４０Ａのサイズを変更できることを直感的に知ることができる。
【０１３４】
図３４は上記のＧＵＩ設定部１２の動作の一例を示すフローチャートである。ステップＳＴ５１にて、ＧＵＩ設定部１２は、縮小画面４０Ａの角部に対するドラッグ操作が行われたか否かを判断する。ドラッグ操作が行われていないと判断したときには、再びステップＳＴ５１を実行する。ドラッグ操作が行われたと判断したときには、ステップＳＴ５２にて、ＧＵＩ設定部１２は、ドラッグ位置に応じたサイズで縮小画面４０Ａを表示する。即ち、角部がドラッグ位置と一致するサイズで縮小画面４０Ａを表示する。
【０１３５】
次にステップＳＴ５３にて、ＧＵＩ設定部１２はドラッグ操作が終了したか否かを判断する。ドラッグ操作が終了していないと判断したときには、再びステップＳＴ５２を実行する。ドラッグ操作が終了したと判断したときには、その終了位置に応じて、縮小画面４０Ａのサイズを設定する。即ち、角部が終了位置と一致するように、縮小画面４０Ａのサイズを設定する。
【０１３６】
＜縮小画面４０Ａの長手方向における位置＞
ＧＵＩ設定部１２は、縮小画面４０Ａの輪郭を形成する辺に対する第５操作が行われたときに、ＧＵＩ設定部１２は縮小画面４０Ａの表示位置を変更してもよい。第５操作としては、例えばドラッグ操作を採用することができる。例えばＧＵＩ設定部１２は、当該辺に対するドラッグ操作の終了位置に基づいて、縮小画面４０Ａの長手方向Ｄ１における位置を設定する。
【０１３７】
図３５は縮小画面４０Ａの表示位置を設定する様子の一例を概略的に示す図である。図３５の例示では、縮小画面４０Ａの辺、例えば紙面下方の辺４０ｇに対してドラッグ操作が行われる（紙面左側の表示領域２ａ参照）。そしてユーザが操作指を例えば下方へと移動させると、ＧＵＩ設定部１２は、その移動量に応じた移動量で縮小画面４０Ａを下方に移動させて表示する（紙面右側の表示領域２ａ参照）。例えば辺４０ｇがドラッグ位置と一致する表示位置で、縮小画面４０Ａを表示する。図３５の紙面右側の表示領域２ａでは、ドラッグ操作の前の縮小画面４０Ａの輪郭が一点鎖線で示されている。
【０１３８】
そして、このドラッグ操作が終了したときに、ＧＵＩ設定部１２は、この終了位置に基づいて長手方向Ｄ１における縮小画面４０Ａの表示位置を設定する。詳細には、辺４０ｇが終了位置に一致するように、縮小画面４０Ａの表示位置を設定する。
【０１３９】
なお、ドラッグ操作の対象となる辺は縮小画面４０Ａの全ての辺４０ｅ〜４０ｈであってもよく、あるいは、端部２Ａ，２Ｂに接しない辺であってもよい。図３５の例示では、縮小画面４０Ａは端部２Ｂに接しているので、紙面上方の辺４０ｅ、紙面左側の辺４０ｆおよび紙面下方の辺４０ｇが操作対象であり、紙面右側の辺４０ｈは操作対象でなくてもよい。また縮小画面４０Ａは端部２Ａに接している場合には、紙面上方の辺４０ｅ、紙面右側の辺４０ｈおよび紙面下方の辺４０ｇが操作対象であり、紙面左側の辺４０ｆは操作対象でなくてもよい。
【０１４０】
またＧＵＩ設定部１２は、縮小画面４０Ａの辺に対する操作に応じて、縮小画面４０Ａの短手方向Ｄ２における表示位置（端部２Ａか端部２Ｂか）を設定してもよい。例えばＧＵＩ設定部１２はドラッグ操作の短手方向Ｄ２の移動に応じて、縮小画面４０Ａを短手方向Ｄ２に移動させる。例えばドラッグ操作によって紙面左側に操作子を移動させると、縮小画面４０Ａも紙面左側に移動させる。
【０１４１】
そして、ドラッグ操作を終了したときの、縮小画面４０Ａの中心が基準線Ｂ１よりも端部２Ａ側に位置するときには、縮小画面４０Ａを端部２Ａ側に表示するように設定し、当該中心が基準線Ｂ１よりも端部２Ｂ側に位置するときには、縮小画面４０Ａを端部２Ｂ側に表示するように設定してもよい。
【０１４２】
これによれば、縮小画面４０Ａの辺への第５操作によって、長手方向Ｄ１における縮小画面４０Ａの表示位置と、短手方向Ｄ２における表示位置（端部２Ａか端部２Ｂか）を設定することができる。
【０１４３】
また、図３５に例示するように、ＧＵＩ設定部１２は縮小画面４０Ａの辺４０ｅ〜４０ｇに図記号４０Ｙを表示してもよい。この図記号４０Ｙは例えばユーザによる辺への操作に応答して表示される。つまり、ユーザが辺を操作すると、ＧＵＩ設定部１２はこの操作に応答して図記号４０Ｙを表示する。この図記号４０Ｙは、例えば辺に対して適切に第５操作が行われていることを示すための記号である。
【０１４４】
図３５の例示では、図記号４０Ｙにおいて、紙面上方、紙面下方、紙面右側、紙面左側にそれぞれ伸びる矢印が放射状に配置されている。これによれば、ユーザは辺に対するドラッグ操作によって縮小画面４０Ａの表示位置を変更できることを直感的に知ることができる。
【０１４５】
図３６は上記のＧＵＩ設定部１２の動作の一例を示すフローチャートである。ステップＳＴ５５にて、ＧＵＩ設定部１２は、縮小画面４０Ａの辺に対するドラッグ操作が行われたか否かを判断する。ドラッグ操作が行われていないと判断したときには、再びステップＳＴ５５を実行する。ドラッグ操作が行われたと判断したときには、ステップＳＴ５６にて、ＧＵＩ設定部１２は、ドラッグ位置に応じた表示位置で縮小画面４０Ａを表示する。つまり、長手方向Ｄ１における操作指の移動方向へと、その移動量に応じて縮小画面４０Ａを移動させて表示する。
【０１４６】
次にステップＳＴ５７にて、ＧＵＩ設定部１２はドラッグ操作が終了したか否かを判断する。ドラッグ操作が終了していないと判断したときには、再びステップＳＴ５６を実行する。ドラッグ操作が終了したと判断したときには、その終了位置に応じて、縮小画面４０Ａの表示位置を設定する。
【０１４７】
なお縮小画面４０Ａの設定とは異なる処理が、縮小画面４０Ａの各辺への操作に対応して設定されている場合、その辺は操作対象でなくてもよい。例えば図３７に示すように、縮小画面４０Ａの紙面上方の辺４０ｅには、所定の操作に応じたノーティフィケーション画面の表示処理が設定されている場合がある。例えばユーザが辺４０ｅの上方から下方へとスライド操作を行うと、処理部１３は当該スライド操作に応じてノーティフィケーション画面ＮＲ１を表示する。例えば当該スライド操作による操作子の移動中においては、ノーティフィケーション画面ＮＲ１の上端部から操作子までの領域が表示される（図３７参照）。図３７では、操作指のスライド方向をブロック矢印で示している。そして、スライド操作を縮小画面４０Ａの下方側へと移動させてスライド操作を終了すると、ノーティフィケーション画面ＮＲ１が縮小画面４０Ａの全面に表示される（不図示）。このノーティフィケーション画面ＮＲ１には、ユーザに通知すべき情報が含まれており、例えば各種の設定情報または着信情報などが含まれている。
【０１４８】
このように、辺４０ｅについては別の処理が割り当てられている場合には、辺４０ｅは縮小画面４０Ａの表示位置を設定するための操作対象でなくてもよい。これにより、誤操作を抑制することができる。また辺４０ｅが操作対象でない場合には、辺４０ｅに対しては図記号４０Ｙを表示しなくてもよい。
【０１４９】
要するに、縮小画面４０Ａの設定とは異なる処理が、縮小画面４０Ａの辺について表示されているときには、その辺は、縮小画面４０Ａの表示位置を設定するための操作対象でなくてもよいのである。
【０１５０】
なお、図記号４０Ｙ，４０Ｚはユーザによる操作とは無関係に常に表示されてもよい。あるいは、ＧＵＩ設定モードが導入される場合には、ＧＵＩ設定モードが採用されたときに、図記号４０Ｙ，４０Ｚが表示されてもよい。そして、ユーザが角部を操作したときには、当該操作に応答して図記号４０Ｙの表示を終了し、図記号４０Ｚの表示を続行してもよい。またユーザが辺を操作したときには、当該操作に応答して、図記号４０Ｚの表示を終了し、図記号４０Ｙの表示を続行してもよい。
【０１５１】
このようにユーザの角部または辺への操作の前から図記号４０Ｙ，４０Ｚが表示されていれば、ユーザは直感的にサイズ変更または位置変更の操作を理解できる。
【０１５２】
またＧＵＩ設定モードが採用される場合には、ＧＵＩ設定モードが採用されていることを示すべく、例えば縮小画面４０Ａの輪郭を所定の色（例えば青）で囲ってもよい。これによれば、ユーザは縮小画面４０Ａの設定を変更できることを容易に知ることができる。
【０１５３】
第４の実施の形態．
第４の実施の形態でも、縮小画面４０Ａの表示位置またはサイズを設定する。第４の実施の形態では、ＧＵＩ設定部１２は、これらの設定用ボタンとして機能する設定要素を、表示領域２ａに表示する。つまり、縮小画面４０Ａを端部２Ａ側に表示するのか、端部２Ｂ側に表示するのかを設定する設定要素、縮小画面４０Ａの長手方向Ｄ１における位置を設定する設定要素、縮小画面４０Ａのサイズを設定する設定要素の少なくともいずれか一つを表示領域２ａに表示するのである。以下にその具体例について詳述する。
【０１５４】
＜縮小画面の短手方向における表示位置（端部２Ａ，２Ｂ）＞
例えば図３８は、縮小画面４０Ａの表示位置を設定する様子の一例を概略的に示す図である。図３８に例示するように、ＧＵＩ設定部１２は設定要素ＰＥ１１を表示領域２ａに表示する。この設定要素ＰＥ１１は例えば表示領域２ａのうち、縮小画面４０Ａ以外の領域に表示されてもよい。つまり設定要素ＰＥ１１は縮小モードまたはＧＵＩ設定モードが採用されているときに、表示されてもよい。これによれば、設定要素ＰＥ１１が縮小画面４０Ａの表示内容を邪魔しない。
【０１５５】
図３８の紙面左側の表示領域２ａでは、縮小画面４０Ａは端部２Ｂ側に表示されており、設定要素ＰＥ１１は縮小画面４０Ａに対して端部２Ａ側に配置されている。この設定要素ＰＥ１１は、縮小画面４０Ａの表示位置を端部２Ｂから端部２Ａに変更するための要素である。設定要素ＰＥ１１に対して操作（例えばタップ操作）を行うと、ＧＵＩ設定部１２は当該操作に応答して、図３８の紙面右側の表示領域２ａに示すように、縮小画面４０Ａを端部２Ａに表示するように設定する。またこのとき、ＧＵＩ設定部１２は設定要素ＰＥ１２を表示する。図３８の例示では、設定要素ＰＥ１２は縮小画面４０Ａに対して端部２Ｂに配置されている。この設定要素ＰＥ１２は、縮小画面４０Ａの表示位置を端部２Ａから端部２Ｂに変更するための要素である。設定要素ＰＥ１２に対して操作（例えばタップ操作）を行うと、ＧＵＩ設定部１２は当該操作に応答して、縮小画面４０Ａを端部２Ｂ側に表示するように設定する。つまり、設定要素ＰＥ１１，ＰＥ１２へのタップ操作によって、図３８に示すように、縮小画面４０Ａの表示位置（端部２Ａか端部２Ｂか）を切り替える。
【０１５６】
設定要素ＰＥ１１，ＰＥ１２はその機能をユーザに示唆する図記号によって形成されてもよい。例えば図３８の例示では、設定要素ＰＥ１１の図記号は端部２Ａ側を指す矢印を含んでおり、設定要素ＰＥ１２の図記号は端部２Ｂ側を指す矢印を含んでいる。
【０１５７】
なお図３８の例示では、モード変更要素ＭＥ１の表示位置は設定要素ＰＥ１１，ＰＥ１２への操作に影響されていないものの、縮小画面４０Ａと同様に設定されてもよい。
【０１５８】
図３９は上記のＧＵＩ設定部１２の動作の一例を示すフローチャートである。ステップＳＴ６１にて、ＧＵＩ設定部１２は設定要素ＰＥ１１に対する操作が行われたか否かを判断する。当該操作が行われていないと判断したときに、再びステップＳＴ６１を実行する。当該操作が行われたと判断したときには、ステップＳＴ６２にて、ＧＵＩ設定部１２は、縮小画面４０Ａを端部２Ｂ側に表示するように設定する。このとき、ＧＵＩ設定部１２は設定要素ＰＥ１２を表示領域２ａに表示する。
【０１５９】
次にステップＳＴ６３にて、この設定要素ＰＥ１２に対する操作が行われたか否かを判断する。当該操作が行われていないと判断したときには、再びステップＳＴ６３を実行する。当該操作が行われたと判断したときには、ステップＳＴ６４にて、ＧＵＩ設定部１２は縮小画面４０Ａを端部２Ａ側に表示するように設定する。このとき、ＧＵＩ設定部１２は設定要素ＰＥ１１を表示領域２ａに表示する。次に、ステップＳＴ６１を実行する。
【０１６０】
なお、設定要素ＰＥ１１，ＰＥ１２を縮小画面４０Ａ以外の領域に表示する場合（図３８）には、縮小画面４０Ａが設定要素ＰＥ１１，ＰＥ１２と重ならないように、縮小画面４０Ａのサイズの上限を予め設定していてもよい。
【０１６１】
＜縮小画面のサイズ＞
図４０は、縮小画面４０Ａのサイズを変更する様子の一例を概略的に示す図である。図４０に示すように、縮小画面４０Ａのサイズを指定するボタンとして機能する設定要素ＳＥ１０が表示領域２ａに表示される。設定要素ＳＥ１０は例えば複数の設定要素ＳＥ１１〜ＳＥ１３を含んでいる。この設定要素ＳＥ１１〜ＳＥ１３は、互いに異なるサイズを指定するためのボタンとして機能する要素である。
【０１６２】
例えば設定要素ＳＥ１１に対して操作（例えばタップ）が行われると、ＧＵＩ設定部１２は当該操作に応答して、縮小画面４０Ａのサイズを設定要素ＳＥ１１に対応したサイズに設定する。これに伴って、ＧＵＩ制御部１１は、設定されたサイズで縮小画面４０Ａを表示する。設定要素ＳＥ１２，ＳＥ１３に対する操作が行われたときも同様に、それぞれ設定要素ＳＥ１２，ＳＥ１３に応じて縮小画面４０Ａのサイズが設定される。設定要素ＳＥ１１〜ＳＥ１３に応じたサイズは例えば予め設定されて、記憶部１０３などに記憶されていてもよい。例えば設定要素ＳＥ１２に対応するサイズで縮小画面４０Ａが表示される。図４０の例示では、例えば設定要素ＳＥ１１に対応する縮小画面４０Ａのサイズを一点鎖線で示している。
【０１６３】
図４１は上記のＧＵＩ設定部１２の動作の一例を示すフローチャートである。ステップＳＴ６５にて、設定要素ＳＥ１１〜ＳＥ１３のいずれかに対する操作が行われたか否かを判断する。いずれの操作も行われていないと判断したときには、再びステップＳＴ６５を実行する。いずれかの操作が行われたと判断したときには、ステップＳＴ６６にて、操作された設定要素に応じたサイズに、縮小画面４０Ａのサイズを設定する。
【０１６４】
＜縮小画面の表示位置およびサイズ＞
図４２は、縮小画面４０Ａのサイズを設定する様子の一例を概略的に示す図である。図４２の例示では、表示領域２ａには、縮小画面４０Ａに隣接して設定要素群Ｅ１０が表示されている。例えば設定要素群Ｅ１０は縮小画面４０Ａの上方に配置されている。この設定要素群Ｅ１０には、例えば、モード変更要素ＭＥ１と、位置設定要素ＰＥ１と、サイズ設定要素ＳＥ１とが設けられている。図４２の例示では、これらは短手方向Ｄ２に沿って並んで配置されている。位置設定要素ＰＥ１は、縮小画面４０Ａの表示位置を設定するためのボタンとして機能し、サイズ設定要素ＳＥ１は、縮小画面４０Ａのサイズを設定するためのボタンとして機能する。
【０１６５】
サイズ設定要素ＳＥ１への操作が行われると、ＧＵＩ設定部１２は縮小画面４０Ａのサイズを変更する。例えばサイズ設定要素ＳＥ１に対するドラッグ操作を行うと、縮小画面４０Ａの角部に対するドラッグ操作を行った場合と同様にして、サイズを変更する。例えば図４２の紙面左側の表示領域２ａにおいてサイズ設定要素ＳＥ１へのドラッグ操作が行われることにより、紙面右側の表示領域２ａに示すように、縮小画面４０Ａのサイズを増大する。
【０１６６】
あるいはサイズ設定要素ＳＥ１への操作に応答して、縮小画面４０Ａのサイズを所定値に変更してもよい。所定値は例えば予め決められており、記憶部１０３などに記憶されていてもよい。また所定値は複数あってもよい。例えばサイズ設定要素ＳＥ１への操作が行われる度に、順次に所定値を切り替えて採用してもよい。例えば第１所定値から第Ｎ（Ｎは２以上の整数）所定値が記憶部１０３などに記録されているときには、サイズ設定要素ＳＥ１への操作のたびに、サイズを第ｋ（ｋはＮ未満の自然数）所定値から第（ｋ＋１）所定値へと変更してもよい。第Ｎ所定値に設定されているときには、当該操作が行われると、サイズを第１所定値に設定すればよい。
【０１６７】
また設定要素群Ｅ１０のサイズも、縮小画面４０Ａのサイズに応じて変更してもよい。つまり、設定要素群Ｅ１０のサイズを、縮小画面４０Ａのサイズが大きいほど大きく設定してもよい。縮小画面４０Ａのサイズは、ユーザにとって操作しやすいサイズに設定されるところ、設定要素群Ｅ１０もこのサイズに応じて設定することで、設定要素群Ｅ１０のサイズもユーザにとって操作しやすいサイズに設定するのである。
【０１６８】
また位置設定要素ＰＥ１に対する操作が行われると、ＧＵＩ設定部１２は縮小画面４０Ａの表示位置を変更する。例えば位置設定要素ＰＥ１に対するドラッグ操作を行うと、縮小画面４０Ａの辺に対するドラッグ操作を行った場合と同様にして、サイズを変更する。図４３は、縮小画面４０Ａの表示位置を設定する様子の一例を概略的に示す図である。例えば図４３の紙面左側の表示領域２ａにおいて位置設定要素ＰＥ１へのドラッグ操作が行われることにより、紙面右側の表示領域２ａに示すように、縮小画面４０Ａの表示位置が変更される。
【０１６９】
あるいは位置設定要素ＰＥ１に対する操作が行われると、ＧＵＩ設定部１２は縮小画面４０Ａの位置を所定位置に変更してもよい。この所定位置は例えば予め設定されており、記憶部１０３などに記憶されていてもよい。また所定位置は複数あってもよい。例えば第１所定位置から第Ｎ所定値が記憶部１０３などに記憶されているときには、位置設定要素ＰＥ１への操作のたびに、表示位置を第ｋ所定位置から第（ｋ＋１）所定位置へと変更してもよい。第Ｎ所定値に設定されているときに、当該操作が行われると、表示位置を第１所定位置に設定すればよい。
【０１７０】
なお設定要素群Ｅ１０における、モード変更要素ＭＥ１、位置設定要素ＰＥ１およびサイズ設定要素ＳＥ１の配置順序は、縮小画面４０Ａの短手方向Ｄ２における表示位置に応じて、異ならせてもよい。図４３の例示では、縮小画面４０Ａを端部２Ａ側に表示するときには、モード変更要素ＭＥ１を最も端部２Ａ側に配置し、サイズ設定要素ＳＥ１を最も端部２Ｂ側に配置し、位置設定要素ＰＥ１をこれらの間に配置している。一方で、縮小画面４０Ａを端部２Ｂ側に表示するときには、図４３に例示するように、モード変更要素ＭＥ１を最も端部２Ｂ側に配置し、サイズ設定要素ＳＥ１を最も端部２Ａ側に配置し、位置設定要素ＰＥ１をこれらの間に配置している。
【０１７１】
これは、最も操作頻度が高いモード変更要素ＭＥ１を、縮小画面４０Ａと同じ側に配置することで、モード変更要素ＭＥ１を操作指（親指）に近づけているのである。これにより、モード変更要素ＭＥ１を操作しやすい。
【０１７２】
また縮小画面４０Ａのサイズは、通常、ユーザの手の大きさに応じて設定されるので、縮小画面４０Ａのサイズを変更する頻度は少ないと考えられる。そこで、サイズ設定要素ＳＥ１を操作指（親指）から遠くに配置しているのである。
【０１７３】
他方、縮小画面４０Ａの長手方向における位置は、通常、ユーザがどちらの手で携帯電子機器１を把持するのか、および、どの位置で把持するのか、に応じて調整される。例えばユーザが左手８０で携帯電子機器１を把持する場合には、縮小画面４０Ａを端部２Ａ側に表示し、右手９０で携帯電子機器１を把持する場合には、縮小画面４０Ａを端部２Ｂ側に表示する。また、携帯電子機器１の下部を把持する場合には、縮小画面４０Ａを下方に表示させ、携帯電子機器１の上部を把持する場合には、縮小画面４０Ａを上方に表示させる。そして、携帯電子機器１をどちらの手で把持するかは、時々において変わり得るし、携帯電子機器１を把持する位置も時々において変わり得る。よって、縮小画面４０Ａの表示位置を変更する頻度は、縮小画面４０Ａのサイズを変更する頻度よりは高い。
【０１７４】
そこで、位置設定要素ＰＥ１をサイズ設定要素ＳＥ１よりも操作指（親指）に近い側に配置しているのである。
【０１７５】
図４４は上記のＧＵＩ設定部１２の動作の一例を示すフローチャートである。ステップＳＴ７１にて、ＧＵＩ設定部１２は、サイズ設定要素ＳＥ１に対する操作が行われたか否かを判断する。当該操作が行われたと判断すると、ステップＳＴ７２にて、ＧＵＩ設定部１２は縮小画面４０Ａのサイズを変更する。
【０１７６】
ステップＳＴ７１にて操作が行われていないと判断したとき、またはステップＳＴ７２の次に、ステップＳＴ７３にて、ＧＵＩ設定部１２は位置設定要素ＰＥ１に対する操作が行われたか否かを判断する。当該操作が行われたと判断したときには、ステップＳＴ７４にてＧＵＩ設定部１２は縮小画面４０Ａの表示位置を所定位置に変更する。
【０１７７】
ステップＳＴ７３にて操作が行われていないと判断したとき、または、ステップＳＴ７４の次に、ステップＳＴ７１を再び実行する。
【０１７８】
図４５はモード変更要素ＭＥ１へ操作を行ったときの様子の一例を概略的に示す図である。モード変更要素ＭＥ１に対して操作（例えばタップ操作）を行うと、ＧＵＩ制御部１１は縮小画面４０Ａを拡大して、表示画面４０を例えば表示領域２ａの全体に表示する。つまり通常モードを採用する。
【０１７９】
第５の実施の形態．
第５の実施の形態では、縮小モードを採用するトリガについて説明する。
【０１８０】
＜モード変更要素ＭＥ１に対する第１操作＞
第１の実施の形態ではモード変更要素ＭＥ１に対する第１操作として、タップ操作を例示した。ここでは、第１操作として、モード変更要素ＭＥ１に対して操作子を近接させた後に、所定の軌跡に沿って操作子を移動させる操作を採用する。図４６は、この第１操作を行う様子の一例を概略的に示す図である。所定の軌跡は任意の軌跡であってもよいものの、例えば反時計回りの略円形状を採用している。図４６の例示では、この軌跡が太線の矢印で示されている。これによれば、特殊な操作によってモード変更要素ＭＥ１に対する第１操作を行うことができるので、他の操作との混同が生じにくい。かかる軌跡は例えば予め定められて記憶部１０３などに記録されていてもよい。
【０１８１】
また、縮小モードから通常モードを採用する場合にも、モード変更要素ＭＥ１に操作子を近接させた後に、所定の軌跡に沿って操作子を移動させる操作をトリガとして採用してもよい。この所定の軌跡は縮小モードを採用するときの第１操作と同じであってもよく、あるいは異なっていてもよい。
【０１８２】
また端部２Ａに配置されたモード変更要素ＭＥ１に対する軌跡と、端部２Ｂに配置されたモード変更要素ＭＥ１に対する軌跡は、左右対称であってもよい。例えば図４６の例示では、端部２Ｂに表示されたモード変更要素ＭＥ１を始点として、操作指を反時計回りで移動させた。よって、モード変更要素ＭＥ１が端部２Ａに表示される場合には、モード変更要素ＭＥ１を始点として操作指を時計回りに移動させてもよい。
【０１８３】
図４７は上述のＧＵＩ制御部１１の動作の一例を示すフローチャートである。ステップＳＴ８１にて、ＧＵＩ制御部１１は、モード変更要素ＭＥ１を始点とした所定の軌跡に沿った操作が行われたか否かを判断する。当該操作が行われていないと判断すると、ステップＳＴ８１を再び実行する。当該操作が行われたと判断すると、ステップＳＴ８２にて、ＧＵＩ制御部１１は表示画面４０を縮小して、縮小後の表示画面４０を縮小画面４０Ａとして表示する。換言すれば、縮小モードを採用する。次にステップＳＴ８３にて、ＧＵＩ制御部１１は、モード変更要素ＭＥ１を始点とした所定の軌跡に沿った操作が行われたか否かを判断する。当該操作が行われていないと判断すると、ステップＳＴ８３を再び実行する。当該操作が行われたと判断すると、ステップＳＴ８４にて、ＧＵＩ制御部１１は縮小画面４０Ａを拡大して、これを表示画面４０として表示する。換言すれば、通常モードを採用する。
【０１８４】
＜表示領域２ａの下方からのスライド操作＞
ここではモード変更要素ＭＥ１を採用しない。図４８は、縮小モードを採用する操作の一例を概略的に示す図である。ＧＵＩ制御部１１は、ユーザによる次の操作に応答して縮小モードを採用する。即ち、図４８の紙面左側に例示するように、ユーザが表示領域２ａの下端部からのスライド操作を行うと、ＧＵＩ制御部１１はこのスライド操作に応答して縮小モードを採用する（図４８の紙面右側）。なお図３８では、操作指のスライド操作の移動方向が太線の矢印で示されている。なお他の図面でも同様に、スライド操作の移動方向が適宜に太線の矢印で示される。
【０１８５】
さらに、このスライド操作の移動方向に応じて、縮小画面４０Ａを端部２Ａに表示させるのか、端部２Ｂに表示させるのかを決定してもよい。図４９は、縮小モードを採用する操作の一例を概略的に示す図である。例えばユーザは表示領域２ａの下端部から上方へと向かうにつれて端部２Ｂに近づくように、スライド操作を行う。ＧＵＩ制御部１１は、このスライド操作に応答して、縮小画面４０Ａを端部２Ｂ側に表示する。つまり、端部２Ｂ側に向かってスライド操作を行うと、縮小画面４０Ａが端部２Ｂ側に表示されるのである。
【０１８６】
また例えばユーザは、表示領域２ａの下端部から上方へと向かうにつれて端部２Ａに近づくように、スライド操作を行ってもよい。図５０は、縮小モードを採用する操作の一例を概略的に示す図である。ＧＵＩ制御部１１は、このスライド操作に応答して、縮小画面４０Ａを端部２Ａ側に表示する。
【０１８７】
以上のように、スライド操作の移動方向に応じて、縮小画面４０Ａの表示位置（端部２Ａまたは端部２Ｂ）を決めることができる。しかも、親指は付け根を中心として円弧方向に移動させることが容易である（図４および図５参照）。よって右手９０の親指９１によって、表示領域２ａの下端部から端部２Ｂ側へとスライド操作を行うことは容易である。右手９０で操作する場合には、縮小画面４０Ａを端部２Ｂ側に表示することにより、操作を容易にできるところ、右手９０による容易なスライド操作によって、縮小画面４０Ａを端部２Ｂ側に表示できるのである。同様に、左手８０による容易なスライド操作によって、縮小画面４０Ａを端部２Ａ側に表示できるのである。
【０１８８】
図５１は上述のＧＵＩ制御部１１の動作の一例を示すフローチャートである。ステップＳＴ９１にて、ＧＵＩ制御部１１は、表示領域２ａの下端部から端部２Ａ側に向かうスライド操作が行われたか否かを判断する。当該スライド操作が行われたと判断すると、ステップＳＴ９２にて、ＧＵＩ制御部１１は表示画面４０を縮小し、これを縮小画面４０Ａとして端部２Ａ側に表示する。ステップＳＴ９１にてスライド操作が行われていないと判断すると、ステップＳＴ９３にて、ＧＵＩ制御部１１は、表示領域２ａの下端部から端部２Ｂ側に向かうスライド操作が行われたか否かを判断する。当該スライド操作が行われたと判断すると、ステップＳＴ９４にて、ＧＵＩ制御部１１は表示画面４０を縮小し、これを縮小画面４０Ａとして端部２Ｂ側に表示する。ステップＳＴ９３にて当該スライド操作が行われていないと判断すると、ステップＳＴ９１を再び実行する。
【０１８９】
なおステップＳＴ９１，ＳＴ９２の一組と、ステップＳＴ９３，ＳＴ９４の一組の実行順序は逆でもよい。
【０１９０】
図５２は、縮小モードを採用する操作の他の一例を概略的に示す図である。ユーザが表示領域２ａの下端部から上方へとスライド操作を行うと（紙面左上の表示領域２ａ参照）、ＧＵＩ制御部１１は、このスライド操作に応じて、モード変更要素Ｍ１，Ｍ２を表示する（紙面右上の表示領域２ａ参照）。モード変更要素Ｍ１，Ｍ２は表示領域２ａのうち中心よりも下方側に配置されており、例えばモード変更要素Ｍ１は端部２Ａ側に配置され、モード変更要素Ｍ２は端部２Ｂ側に配置される。また意匠的な意味で、上記スライド操作に応答して、略楕円の一部を表示し、当該楕円の円周上にモード変更要素Ｍ１，Ｍ２を配置してもよい。
【０１９１】
そしてスライド操作によって、操作子が例えばモード変更要素Ｍ２に至る（紙面右上の表示領域２ａ参照）と、この到達に応答して、ＧＵＩ制御部１１は縮小画面４０Ａを端部２Ｂ側に表示する（紙面左下の表示領域２ａ参照）。つまり、端部２Ｂ側に位置するモード変更要素Ｍ２へとスライド操作することにより、縮小画面４０Ａを端部２Ｂへと表示することができるのである。
【０１９２】
一方で、スライド操作によって操作子がモード変更要素Ｍ１に至ると、ＧＵＩ制御部１１は縮小画面４０Ａを端部２Ａ側に表示する（不図示）。
【０１９３】
以上のように、表示領域２ａの下端部からスライド操作によって、モード変更要素Ｍ１，Ｍ２が表示される。よってユーザに当該モード変更要素Ｍ１，Ｍ２へと操作を行わせやすい。言い換えれば、縮小モードへの操作が分かりやすい。
【０１９４】
図５３は上記のＧＵＩ制御部１１の動作の一例を示すフローチャートである。まずステップＳＴ１０１にて、ＧＵＩ制御部１１は、表示領域２ａの下端部から上方へのスライド操作が行われたか否かを判断する。当該スライド操作が行われていないと判断したときには、再びステップＳＴ１０１実行する。当該スライド操作が行われたと判断したときには、ステップＳＴ１０２にて、ＧＵＩ制御部１１はモード変更要素Ｍ１，Ｍ２を表示領域２ａに表示する。次にステップＳＴ１０３にて、ＧＵＩ制御部１１は、操作子がモード変更要素Ｍ１，Ｍ２のいずれに到達したかを判断する。操作子がモード変更要素Ｍ１に到達したと判断したときには、ステップＳＴ１０４にて、ＧＵＩ制御部１１は表示画面４０を縮小し、これを縮小画面４０Ａとして端部２Ａ側に表示する。操作子がモード変更要素Ｍ２に到達したと判断したときには、ステップＳＴ１０５にて、ＧＵＩ制御部１１は表示画面４０を縮小し、これを縮小画面４０Ａとして端部２Ｂ側に表示する。
【０１９５】
第６の実施の形態．
図５４は、縮小モードを採用する様子の一例を概略的に示す図である。図５４の例示では、モード変更要素ＭＥ１は非表示であり、また電源キー５Ａの近傍に配置されている。より具体的には、モード変更要素ＭＥ１は電源キー５Ａに近い端部２Ｂにおいて、電源キー５Ａと対向して配置されている。
【０１９６】
ユーザは電源キー５Ａを操作しやすい位置で携帯電子機器１を把持することが多い。よって、モード変更要素ＭＥ１が電源キー５Ａの近傍に配置されていれば、モード変更要素ＭＥ１も操作しやすい。
【０１９７】
図５４の例示では、モード変更要素ＭＥ１に対する第１操作としては例えばスライド操作を採用できる。図５４に示すように、表示領域２ａの外側から内側へ向かってモード変更要素ＭＥ１に対してスライド操作が行われる。ＧＵＩ制御部１１は、このスライド操作に応答して、表示画面４０を縮小し、これを縮小画面４０Ａとして表示する。
【０１９８】
またＧＵＩ制御部１１は、当該スライド操作によるスライド量に応じたサイズで、縮小画面４０Ａを表示してもよい。例えばこのスライド量が大きいほど小さいサイズで縮小画面４０Ａを表示する。図５５の例示では、紙面右上の状態から更に操作子をスライドさせることにより、紙面左下のように縮小画面４０Ａのサイズが小さくなる。
【０１９９】
そしてスライド操作が終了すると、ＧＵＩ制御部１１は、スライド操作が終了した時点のサイズで縮小画面４０Ａを表示する。
【０２００】
図５６は、上述のＧＵＩ制御部１１の動作の一例を示すフローチャートである。ステップＳＴ１１１にて、ＧＵＩ制御部１１は、モード変更要素ＭＥ１に対するスライド操作が行われたか否かを判断する。当該スライド操作が行われていないと判断したときには、再びステップＳＴ１１１を実行する。当該スライド操作が行われたと判断したときには、ステップＳＴ１１２にて、ＧＵＩ制御部１１はスライド操作によるスライド量に応じたサイズで縮小画面４０Ａを表示する。
【０２０１】
これによれば、縮小モードを採用と、縮小画面４０Ａのサイズの決定とを、一連のスライド操作によって行うことができる。
【０２０２】
また第１操作としてタップ操作を採用しつつ、縮小画面４０Ａのサイズをタップ操作の回数に応じて決定してもよい。例えばモード変更要素ＭＥ１に対してタップ操作を行うと、このタップ操作に応答してＧＵＩ制御部１１は縮小画面４０Ａを表示し、続くモード変更要素ＭＥ１に対するタップ操作の度に、縮小画面４０Ａのサイズを小さくして表示してもよい。
【０２０３】
＜スタンバイモード＞
制御部１０は、スタンバイモードを採用できる。スタンバイモードとは、携帯電子機器１の各種構成要件に対する給電を適宜に遮断して、消費電力を低減するモードである。例えばスタンバイモードでは、表示部４１の表示を終了する。このスタンバイモードは、例えば所定期間に亘って操作を検出しないときに採用される。またスタンバイモードの採用／終了は、電源キー５Ａの押下の度に行ってもよい。つまり、スタンバイモードで電源キー５Ａを押下すると、スタンバイモードが解除され、スタンバイモードが解除された状態で電源キー５Ａを押下すると、スタンバイモードが採用される。
【０２０４】
そして、ＧＵＩ制御部１１は、電源キー５Ａへの押下によってスタンバイモードを解除するときに、モード変更要素ＭＥ１を、電源キー５Ａに近い端部２Ｂに配置してもよい。電源キー５Ａは端部２Ａよりも端部２Ｂの近く、かつ、この端部２Ｂの一部と対向する位置に設けられている。よってモード変更要素ＭＥ１をこの端部２Ｂの当該一部に配置するのである。これによれば、電源キー５Ａへの操作に続けて、モード変更要素ＭＥ１を操作しやすい。
【０２０５】
そして、ＧＵＩ制御部１１は、例えばスタンバイモードの解除から所定時間が経過したときに、モード変更要素ＭＥ１を、設定された表示位置に表示してもよい。或いは、モード変更要素ＭＥ１への第１操作が行われたときに、モード変更要素ＭＥ１を、設定された表示位置に表示してもよい。
【０２０６】
図５７は上述のＧＵＩ制御部１１の動作の一例を示すフローチャートである。ステップＳＴ１２１にて、ＧＵＩ制御部１１は電源キー５Ａの押下によってスタンバイモードが解除されたか否かを判断する。例えばスタンバイモードで電源キー５Ａが押下されたときには、肯定的な判断を行う。ステップＳＴ１２１にてスタンバイモードが解除されていないと判断したときには、ステップＳＴ１２１を再び実行する。スタンバイモードが解除されたと判断したときには、ステップＳＴ１２２にて、ＧＵＩ制御部１１は、電源キー５Ａの近傍にモード変更要素ＭＥ１を配置する。
【０２０７】
次に、ステップＳＴ１２３にて、ステップＳＴ１２１から所定時間が経過したか否かを判断する。所定時間が経過していないと判断したときには、ステップＳＴ１２４にて、モード変更要素ＭＥ１に対する第１操作が行われたか否かを判断する。ステップＳＴ１２４にて、第１操作が行われていないと判断したときには、ステップＳＴ１２３を再び実行する。
【０２０８】
ステップＳＴ１２３またはステップＳＴ１２４にて肯定的な判断がなされたときには、ステップＳＴ１２５にて、ＧＵＩ制御部１１は、モード変更要素ＭＥ１を、設定された位置に配置する。
【０２０９】
第７の実施の形態．
＜携帯電子機器の把持姿勢＞
図５８は、第７の実施の形態にかかる携帯電子機器１の電気的構成の一例を示す図である。図５８の携帯電子機器１は、図３と比較して把持姿勢検出部７０を更に備えている。携帯電子機器１はユーザによって種々の姿勢で把持される。図５９および図６０は、ユーザが携帯電子機器１を把持する様子の一例を概略的に示す図である。例えば長手方向Ｄ１が縦方向に沿う姿勢（以下、縦姿勢と呼ぶ）で、携帯電子機器１が把持される（図５９参照）ことがある。あるいは、その長手方向Ｄ１がユーザに対して横方向に沿う姿勢（以下、横姿勢と呼ぶ）で、携帯電子機器１が把持される（図６０参照）こともある。把持姿勢検出部７０は、この携帯電子機器１の把持姿勢を検出することができる。
【０２１０】
把持姿勢検出部７０は、例えば加速度センサを備えており、携帯電子機器１に生じる加速度を検出する。より具体的には、加速度センサは、互いに直交する３つの方向における加速度成分を検出する。加速度には重力加速度が含まれるので、検出した加速度に基づいて、携帯電子機器１の地面に対する姿勢を検出することができる。
【０２１１】
図５９の例示では、ユーザは縦姿勢で携帯電子機器１を把持しており、また表示領域２ａには縮小画面４０Ａが表示されている。図５９の例示では、右手９０で携帯電子機器１が把持されており、縮小画面４０Ａは端部２Ｂ側に表示されている。よってユーザは縮小画面４０Ａに対して操作を行いやすい。
【０２１２】
例えば縮小画面４０Ａには、撮像画面が表示される。撮像画面は、処理部１３が撮像部６０を用いて画像を撮像するときに、処理部１３によって表示される。この撮像画面には、例えば録画要素ＣＥ１、撮像要素ＣＥ２および設定要素ＣＥ３が表示されている。録画要素ＣＥ１は、動画を撮像するためのボタンとして機能し、撮像要素ＣＥ２は静止画を撮像するためのボタンとして機能し、設定要素ＣＥ３はカメラ機能の各種設定を行うためのボタンとして機能する。図５９の例示では、録画要素ＣＥ１および撮像要素ＣＥ２は縮小画面４０Ａの紙面下方において、短手方向Ｄ２において隣接して配置されている。設定要素ＣＥ３は縮小画面４０Ａの左上に配置されている。また図５９では図示していないもいのの、撮像画面には、撮像部６０によって取り込まれた画像が表示される。
【０２１３】
一方、横姿勢では、ユーザは図６０に示すように、例えば両手で携帯電子機器１を把持することができる。この場合、携帯電子機器１への操作は両手で行われることが多い。つまりこの場合には、片手で携帯電子機器１を把持しつつ、その手で携帯電子機器１を操作する場合（図５９）に比べて、表示領域２ａの全体を操作しやすい。
【０２１４】
そこで、ＧＵＩ制御部１１は、縮小モードにおいて、横姿勢が検出されたときには、縮小モードを終了し、通常モードを採用してもよい。換言すれば、縮小モードにおいて、把持姿勢として長手方向Ｄ１が縦方向よりも横方向に近いときに、縮小画面４０Ａを拡大し、これを表示画面４０として表示領域２ａに表示してもよい。つまり、携帯電子機器１が横姿勢で把持されているときには、ユーザは片手での把持および操作を行わないと推察して、通常モードを採用しているのである。これによれば、ユーザは横姿勢で携帯電子機器１を把持したときに、モード変更要素ＭＥ１を操作しなくても、通常モードが採用される。つまり通常モードを採用するための操作を不要にできる。したがって、ユーザにとって利便性が高い。
【０２１５】
また図６０の例示では、処理部１３は、横姿勢の検出に応答して、録画要素ＣＥ１、撮像要素ＣＥ２および設定要素ＣＥ３の配置を変更している。例えば録画要素ＣＥ１および撮像要素ＣＥ２は表示画面４０の紙面左側において短手方向Ｄ２において隣接して配置されている。設定要素ＣＥ３は表示画面４０の紙面右上に配置されている。
【０２１６】
またＧＵＩ制御部１１は、横姿勢が検出されたときには、縮小モードの採用を無効にしてもよい。例えばＧＵＩ制御部１１はモード変更要素ＭＥ１を表示領域２ａにおいて配置しない。これによって、携帯電子機器１が横姿勢で把持された状態では、縮小モードを採用できない。よって、誤操作による縮小モードの採用を回避することができる。
【０２１７】
なお把持姿勢検出部７０は、第１撮像部６２によって撮像した画像を用いて、携帯電子機器１の把持姿勢を検出してもよい。具体的には、撮像画像にユーザの両目が含まれる場合には、その両目の位置に基づいて把持姿勢する。例えば、ユーザの両目を結ぶ直線が、携帯電子機器１の長手方向Ｄ１に略直交すると判断した場合に、縦姿勢で携帯電子機器１が把持していることを検出し、当該直線が携帯電子機器１の長手方向Ｄ１に沿うと判断した場合には、横姿勢で携帯電子機器１を把持していることを検出してもよい。これによれば、ユーザが横になっているときに、携帯電子機器１を縦姿勢で把持しても、縦姿勢を正しく検出することができる。
【０２１８】
図６１は、上述のＧＵＩ制御部１１の動作の一例を示すフローチャートである。ステップＳＴ１３１にて、ＧＵＩ制御部１１は、把持姿勢検出部７０が携帯電子機器１の横姿勢を検出したか否かを判断する。横姿勢を検出していないときには、再びステップＳＴ１３１を実行する。
【０２１９】
横姿勢を検出したときには、ステップＳＴ１３２にて、ＧＵＩ制御部１１は、表示画面４０を表示領域２ａに表示する通常モードを採用する。よって、ステップＳＴ１３１において縮小モードが採用されているときには、この縮小モードが終了して通常モードが採用されることとなる。なおステップＳＴ１３１にて通常モードが採用されている場合には、そのまま継続して通常モードが採用される。
【０２２０】
またステップＳＴ１３２の次のステップＳＴ１３３にて、ＧＵＩ制御部１１は縮小モードを無効にしてもよい。つまり、把持姿勢として長手方向Ｄ１が縦方向よりも横方向に近い状態（横姿勢）でモード変更要素ＭＥ１への第１操作が行われても、縮小画面４０Ａを表示しないのである。この場合、ステップＳＴ１３３の次のステップＳＴ１３４にて、ＧＵＩ制御部１１は、把持姿勢検出部７０が携帯電子機器１の縦姿勢を検出したか否かを判断する。縦姿勢を検出していないと判断したときには、再びステップＳＴ１３４を実行する。縦姿勢を検出したと判断したときには、ステップＳＴ１３５にてＧＵＩ制御部１１は縮小モードを有効とする。具体的には、ＧＵＩ制御部１１はモード変更要素ＭＥ１を配置する。
【０２２１】
なお携帯電子機器１を横姿勢にした直前に縮小モードが採用されている場合には、縦姿勢に戻したときに、ＧＵＩ制御部１１は縮小モードに戻してもよい。これにより、片手でも容易に縮小画面４０Ａを容易に操作することができる。もちろん、縦姿勢で元々通常モードが採用されていた場合には、横姿勢から縦姿勢に戻したときにも、通常モードが採用され続けてもよい。
【０２２２】
また制御部１０は、縦姿勢および横姿勢に応じて表示領域２ａの表示内容を回転させてもよい。つまり横姿勢における表示内容は、縦姿勢における表示内容を９０度回転させた表示内容であってもよい。さらに、この機能の有効／無効を設定できてもよい。例えばユーザは入力部５０を介して、この機能の有効／無効を設定する。そして、ＧＵＩ制御部１１はこの機能が無効に設定されているときには、横姿勢であっても縮小モードを採用できてもよい。
【０２２３】
ＧＵＩ制御部１１は、横姿勢が検出される直前のモード（通常モードか縮小モードか）を例えば記憶部１０３に記憶しており、縦姿勢が検出されたときには、記憶されたモードを採用してもよい。つまり、縮小モードが採用された状態で、携帯電子機器１を横姿勢で把持した場合には、縦姿勢に持ち替えたときに、縮小モードが採用される。同様に、通常モードが採用された状態で、携帯電子機器１を横姿勢で把持した場合には、縦姿勢に持ち替えたときに、通常モードが採用される。
【０２２４】
あるいは、横姿勢から縦姿勢を採用したときには、常に通常モードを採用しても構わない。
【０２２５】
＜携帯電子機器１の載置＞
ＧＵＩ制御部１１は、携帯電子機器１が地面に対して水平であるときには、通常モードを採用してもよい。ユーザが携帯電子機器１を載置しているときには、片手での操作を行っていないと考えることができるので、通常モードが採用されるのである。よって、縮小モードを採用したまま携帯電子機器１を水平に載置すると、通常モードが採用されることとなる。また携帯電子機器１を持ち上げて、その姿勢が地面に対して傾斜すると、ＧＵＩ制御部１１は載置前のモードを採用する。
【０２２６】
＜スタンバイモード＞
ＧＵＩ制御部１１は、スタンバイモードが採用される直前のモード（通常モードか縮小モードか）を例えば記憶部１０３に記憶しており、電源キー５Ａの押下によってスタンバイモードが解除されたときには、記憶されたモードを採用してもよい。つまり、縮小モードでスタンバイが採用された場合には、電源キー５Ａの押下によってスタンバイが解除されたときに縮小モードが採用されるのである。
【０２２７】
＜着信＞
処理部１３は通話機能を発揮することができる。例えば通話用の着信信号を、無線通信部２０を介して他の通話機器から受信すると、着信画面を表示領域２ａに表示する。図６２は着信画面が表示された表示領域２ａの一例を概略的に示す図である。図６２の例示では通常モードが採用されている。この着信画面には、通話相手の情報ＩＮ１が表示されるとともに、その着信に対してそれぞれ応答および拒否を入力するためのボタンとして機能する要素ＡＥ１，ＨＥ１が表示される。通話相手の情報ＩＮ１は、例えば電話番号または通話相手の名前などである。処理部１３は、要素ＡＥ１に対する操作（例えばタップ操作）に応答して通話を開始し、要素ＨＥ１に対する操作（例えばタップ操作）に応答して通話相手との通信を遮断する。
【０２２８】
ところで、着信画面における通話相手の情報ＩＮ１は、大きく表示されるとよい。これにより、ユーザは通話相手の情報ＩＮ１を確認しやすい。そこで、縮小モードにおいて着信信号を受信したときには、ＧＵＩ制御部１１が通常モードを採用した上で、処理部１３が着信画面を表示するとよい。
【０２２９】
図６３は上述のＧＵＩ制御部１１の動作の一例を示すフローチャートである。ステップＳＴ１５１にて、ＧＵＩ制御部１１は着信信号を受信したか否かを判断する。着信信号を受信していないと判断したときには、再びステップＳＴ１５１を実行する。着信信号を受信したと判断したときには、ステップＳＴ１５２にて、ＧＵＩ制御部１１は通常モードを採用する。よって、縮小モードにおいて着信信号を受信すると、これに応答して縮小モードを終了し、通常モードが採用されることになる。また通常モードにおいて着信信号を受信すると、継続して通常モードが採用されることとなる。次にステップＳＴ１５３にて、処理部１３は着信画面を表示領域２ａに表示する。
【０２３０】
制御部１０は、スタンバイモードにおいて着信信号を受信すると、スタンバイモードを解除する。このときもＧＵＩ制御部１１は通常モードを採用してもよい。つまり、スタンバイモードが採用されているか否かに関わらず、着信信号を受信したときには、通常モードを採用するのである。これにより、着信画面を見やすくでき、通話相手の情報ＩＮ１を確認しやすい。
【０２３１】
第８の実施の形態．
第８の実施の形態では、縮小モードにおける表示領域２ａについて説明する。
【０２３２】
＜ステータス通知領域＞
図７から図９を参照して、表示画面４０にはステータス通知領域ＳＢ１が設けられている。例えば処理部１３はステータス通知領域ＳＢ１を表示画面４０の上端部に表示する。このステータス通知領域ＳＢ１は例えば短手方向Ｄ２に沿って伸びる長方形状を有している。ステータス通知領域ＳＢ１には、ユーザに通知する情報、例えば、無線通信の電波状態、バッテリの残容量、および、現在時刻などが表示される。無線通信の電波状態は、例えば無線通信部２０を介して受信される受信信号の強度に基づいて決定できる。また、携帯電子機器１の各構成要素はバッテリ（不図示）から給電されており、処理部１３は、バッテリの残容量を検出することができる。例えばバッテリの電圧に基づいてその残容量を検出する。現在時刻は、所定の計時回路（例えばタイマ回路）によって計時できる。
【０２３３】
ＧＵＩ制御部１１は縮小モードにおいて、図１１に例示するように、このステータス通知領域ＳＢ１も縮小してもよい。つまりステータス通知領域ＳＢ１は縮小画面４０Ａの例えば上端部に表示されてもよい。しかるに、これは必須要件ではない。図６４に例示するように、ＧＵＩ制御部１１は縮小モードにおいて、元のサイズおよび位置でステータス通知領域ＳＢ１を表示しても構わない。
【０２３４】
これによれば、縮小モードにおいても、ステータス通知領域ＳＢ１を見やすい。特に、ボタンとして機能する要素がステータス通知領域ＳＢ１内に表示されていない場合、ステータス通知領域ＳＢ１を縮小しても、操作性の向上には寄与しない。そこで、ステータス通知領域ＳＢ１の見やすさを優先して、縮小モードであっても、元のサイズでステータス通知領域ＳＢ１を表示するのである。
【０２３５】
＜ノーティフィケーション画面＞
ノーティフィケーション画面ＮＲ１は、縮小モードにおいて、縮小画面４０Ａの例えば上端部に対する操作（例えば下方へのスライド操作）に応答して表示されてもよい（図３７も参照）。このとき、ノーティフィケーション画面ＮＲ１は縮小画面４０Ａに対して表示されてもよい。
【０２３６】
しかるに、縮小モードであっても、ノーティフィケーション画面ＮＲ１は、表示領域２ａの上端部に対する操作（例えば下方へのスライド操作）に応答して表示されてもよい。図６５は、ノーティフィケーション画面ＮＲ１を表示する様子の一例を概略的に示す図である。ユーザが操作子を表示領域２ａの上端部から下方へとスライドさせることにより、ノーティフィケーション画面ＮＲ１が表示される。図６５の例示では、スライド途中の表示領域２ａが表示されており、ノーティフィケーション画面ＮＲ１の一部のみが表示されている。ユーザが操作子をより下方へとスライドさせることにより、ノーティフィケーション画面ＮＲ１は表示領域２ａの全体に表示されることとなる。
【０２３７】
これによれば、縮小モードであっても、より大きいサイズでノーティフィケーション画面が表示される。よってノーティフィケーション画面に含まれる、ユーザへの通知情報を確認しやすい。
【０２３８】
＜背景領域（通知情報）＞
表示領域２ａのうち、縮小画面４０Ａ以外の領域（以下、背景領域と呼ぶ）２ｃには、何も表示されなくてもよいし、あるいは背景画像が表示されてもよい。
【０２３９】
また背景領域２ｄには、所定の通知情報が表示されてもよい。例えば、処理部１３は電子メール機能を有している。処理部１３は電子メールを受信したときに、電子メール受信および送信相手の情報などを背景領域２ｄに表示してもよい。図６６は表示領域２ａの一例を概略的に示す図である。図６６の例示では、背景領域２ｄには、通知領域ＮＥ１が配置されており、この通知領域ＮＥ１には、例えばメールの受信通知が表示されるとともに、そのメールの送信相手も表示されている。
【０２４０】
なお通知情報は電子メールに限らず、任意の通知情報を表示してもよい。
【０２４１】
＜背景領域（二画面）＞
背景領域２ｄには、縮小モードの直前の表示画面４０が表示されてもよい。図６７は、縮小モードを採用する様子の一例を概略的に示す図である。例えばモード変更要素ＭＥ１に対する操作が行われることにより、縮小画面４０Ａが表示される。図６７の例示では、背景領域２ｄには、縮小モードの直前の表示画面４０が表示されている。また図６７に例示するように、表示領域２ａの全体に表示画面４０が表示されるとともに、縮小画面４０Ａが表示画面４０の前面において半透明で表示されても構わない。
【０２４２】
また処理部１３は背景領域２ｄに対する操作を有効としてもよい。つまり、処理部１３は背景領域２ｄに対する操作を受け付けてもよい。ただし、縮小画面４０Ａが表示された領域は、縮小画面４０Ａに対する操作のみを受け付ければよい。つまり、背景領域２ｄに表示される表示内容が表示領域２ａの全体に表示されていても、縮小画面４０Ａが表示された領域では、表示領域２ａの全体に表示される表示内容に対する操作は受け付けなくてもよい。これによれば、縮小画面４０Ａに対する操作をしやすい。
【０２４３】
図６８は、背景領域２ｄに対して操作を行う様子の一例を概略的に示す図である。図６８の紙面左側では、背景領域２ｄにおいて、電話機能を示す要素Ｅ１が表示されている。そして、背景領域２ｄにおいて要素Ｅ１に対する操作（例えばタップ操作）が行われると、処理部１３は当該要素Ｅ１に対応するアプリケーションを実行し、その結果を、縮小画面４０Ａおよび背景領域２ｄに表示する。例えば、処理部１３は、電話機能を示す要素Ｅ１に対する操作に応答して、発呼画面を表示領域２ａの全体に表示するとともに、この発呼画面を縮小画面４０Ａに半透明で表示する。
【０２４４】
以上のように、背景領域２ｄにおいても操作が有効となるので、操作性を向上することができる。
【０２４５】
また上述の例では、背景領域２ｄと縮小画面４０Ａとは互いに連動している。しかるに背景領域２ｄに対する操作結果が背景領域２ｄのみに表示され、縮小画面４０Ａには反映されなくてもよい。図６９は、背景領域２ｄに対して操作を行う様子の一例を概略的に示すための図である。図６９の例示では、背景領域２ｄにはホーム画面が表示されている。この背景領域２ｄにおいて、例えば操作子を上方へとスライドさせると、処理部１３はこの操作に応答して、背景領域２ｄにおいてホーム画面が上方へと移動させ、より下方に配置された要素Ｅ１も背景領域２ｄに表示する。その一方で、処理部１３は背景領域２ｄに対する操作を縮小画面４０Ａには反映されず、表示内容を変更しない。
【０２４６】
なお図６９の例示するように、処理部１３は、背景領域２ｄに対する操作の結果を表示領域２ａの全体に表示しつつ、その操作に依存しない縮小画面４０Ａを半透明で表示してもよい。
【０２４７】
また例えば背景領域２ｄにおいて要素Ｅ１が操作されると、処理部１３は、その要素Ｅ１に対応するアプリケーションを実行しつつも、そのアプリケーションによる表示内容は、縮小画面４０Ａには表示せずに、背景領域２ｄに表示する。
【０２４８】
これによれば、背景領域２ｄと縮小画面４０Ａとを別々の画面として利用することができる。
【０２４９】
また背景領域２ｄと縮小画面４０Ａとが互いに異なる表示内容を表示できる場合には、所定の操作に応じて、背景領域２ｄと縮小画面４０Ａとを入れ替えても構わない。所定の操作としては、例えば縮小画面４０Ａと背景領域２ｄとの境界を跨ぐスライド操作を採用できる。図７０は、当該操作を行う様子の一例を概略的に示す図である。図７０の紙面左側の表示領域２ａにおいては、ホーム画面が表示領域２ａの全体に表示されつつ、発呼画面が縮小画面４０Ａに半透明で表示されている。ユーザは、例えば縮小画面４０Ａから背景領域２ｄへと操作子をスライドさせると、このスライド操作に応答して、処理部１３は、背景領域２ｄの表示内容と縮小画面４０Ａの表示内容とを入れ替える。図７０の紙面右側の表示領域２ａでは、発呼画面が表示領域２ａの全体に表示されつつ、ホーム画面が縮小画面４０Ａに表示されている。
【０２５０】
以上のように、所定の操作に応じて、背景領域２ｄと縮小画面４０Ａの表示内容を入れ替えることができる。よって操作性を向上することができる。
【０２５１】
＜横姿勢＞
第６の実施の形態で説明したように、横姿勢においては、縮小モードが無効に設定されてもよい。しかるに、ＧＵＩ制御部１１は横姿勢であっても、モード変更要素ＭＥ１を表示してもよい。ただし、このモード変更要素ＭＥ１に対する第１操作が行われたときに、縮小モードを採用せずに、二画面モードを採用する。つまり、ＧＵＩ制御部１１は、把持姿勢検出部７０が横姿勢を検出したときには縮小モードを無効に維持しつつ、モード変更要素ＭＥ１への第１操作に対応した処理を、二画面モードの採用に設定するのである。
【０２５２】
図７１は、横姿勢においてモード変更要素ＭＥ１に対して第１操作を行う様子の一例を概略的に示す図である。図７１の紙面上方の表示領域２ａにおいては、例えば撮像画面が表示領域２ａの全体に表示されている。また横姿勢でもモード変更要素ＭＥ１が表示されている。このモード変更要素ＭＥ１に対する第１操作（例えばタップ操作）を行うと、処理部１３は、この操作に応答して、表示領域２ａを複数に分割し、その一つの分割領域に撮像画面を表示し、他の分割領域には、他の画面を表示する。図７１の紙面下方の表示領域２ａにおいては、表示領域２ａが長手方向Ｄ１に二分割されて分割領域２ａａ，２ａｂが形成されている。分割領域２ａａには、モード変更要素ＭＥ１が操作される直前の撮像画面が表示され、分割領域２ａｂにはホーム画面が表示されている。
【０２５３】
第９の実施の形態．
ＧＵＩ設定部１２は、ＧＵＩ設定モードを採用するときに、モード変更要素ＭＥ１または縮小画面４０Ａの設定方法を説明する文章を、表示領域２ａに表示してもよい。図７２は表示領域２ａの一例を概略的に示す図である。図７２の例示するように、ＧＵＩ設定部１２は、例えば説明要素ＤＥ１を表示領域２ａに表示する。説明要素ＤＥ１には、モード変更要素ＭＥ１の表示位置、縮小画面４０Ａの表示位置およびサイズの少なくともいずれかを設定する方法が示されている。
【０２５４】
以上のように、携帯電子機器は詳細に説明されたが、上記した説明は、すべての局面において、例示であって、本携帯電子機器がそれに限定されるものではない。例示されていない無数の変形例が、本携帯電子機器の範囲から外れることなく想定され得る。
【０２５５】
実施の形態は、相互に矛盾しない限り、互いに組み合わせて実施することができる。例えば、モード変更要素ＭＥ１の短手方向Ｄ２および長手方向Ｄ１における位置、縮小画面４０Ａの短手方向Ｄ２および長手方向Ｄ１の表示位置、および、サイズの設定方法は、適宜に組み合わせて採用することができる。
【符号の説明】
【０２５６】
１  携帯電子機器
２ａ  表示領域
２ｂ  第１領域
２ｃ  第２領域
２Ａ，２Ｂ  端部
１１  ＧＵＩ制御部
１２  ＧＵＩ設定部
４０  表示画面
４０Ａ  縮小画面
４０ａ〜４０ｄ  角部
４０ｅ〜４０ｆ  辺
４１  表示部
５０  入力部
７０  把持姿勢検出部
Ｂ１  基準線
Ｄ１  長手方向
ＳＥ１  サイズ設定要素
ＳＥ１１〜ＳＥ１３  設定要素
ＭＥ１  モード変更要素
ＰＥ１  位置設定要素
【図１】
2017084086.tif 000003
【図２】
2017084086.tif 000004
【図３】
2017084086.tif 000005
【図４】
2017084086.tif 000006
【図５】
2017084086.tif 000007
【図６】
2017084086.tif 000008
【図７】
2017084086.tif 000009
【図８】
2017084086.tif 000010
【図９】
2017084086.tif 000011
【図１０】
2017084086.tif 000012
【図１１】
2017084086.tif 000013
【図１２】
2017084086.tif 000014
【図１３】
2017084086.tif 000015
【図１４】
2017084086.tif 000016
【図１５】
2017084086.tif 000017
【図１６】
2017084086.tif 000018
【図１７】
2017084086.tif 000019
【図１８】
2017084086.tif 000020
【図１９】
2017084086.tif 000021
【図２０】
2017084086.tif 000022
【図２１】
2017084086.tif 000023
【図２２】
2017084086.tif 000024
【図２３】
2017084086.tif 000025
【図２４】
2017084086.tif 000026
【図２５】
2017084086.tif 000027
【図２６】
2017084086.tif 000028
【図２７】
2017084086.tif 000029
【図２８】
2017084086.tif 000030
【図２９】
2017084086.tif 000031
【図３０】
2017084086.tif 000032
【図３１】
2017084086.tif 000033
【図３２】
2017084086.tif 000034
【図３３】
2017084086.tif 000035
【図３４】
2017084086.tif 000036
【図３５】
2017084086.tif 000037
【図３６】
2017084086.tif 000038
【図３７】
2017084086.tif 000039
【図３８】
2017084086.tif 000040
【図３９】
2017084086.tif 000041
【図４０】
2017084086.tif 000042
【図４１】
2017084086.tif 000043
【図４２】
2017084086.tif 000044
【図４３】
2017084086.tif 000045
【図４４】
2017084086.tif 000046
【図４５】
2017084086.tif 000047
【図４６】
2017084086.tif 000048
【図４７】
2017084086.tif 000049
【図４８】
2017084086.tif 000050
【図４９】
2017084086.tif 000051
【図５０】
2017084086.tif 000052
【図５１】
2017084086.tif 000053
【図５２】
2017084086.tif 000054
【図５３】
2017084086.tif 000055
【図５４】
2017084086.tif 000056
【図５５】
2017084086.tif 000057
【図５６】
2017084086.tif 000058
【図５７】
2017084086.tif 000059
【図５８】
2017084086.tif 000060
【図５９】
2017084086.tif 000061
【図６０】
2017084086.tif 000062
【図６１】
2017084086.tif 000063
【図６２】
2017084086.tif 000064
【図６３】
2017084086.tif 000065
【図６４】
2017084086.tif 000066
【図６５】
2017084086.tif 000067
【図６６】
2017084086.tif 000068
【図６７】
2017084086.tif 000069
【図６８】
2017084086.tif 000070
【図６９】
2017084086.tif 000071
【図７０】
2017084086.tif 000072
【図７１】
2017084086.tif 000073
【図７２】
2017084086.tif 000074